(57)【要約】【課題】使用済みになった箱を簡単に扁平状に押し潰せるようにする。【解決手段】この箱Ｃ９には、左右の各側面板１４、１２及び各フラップ１５３，１６３、１５４，１６４の幅方向中間に、直線的に延びる罫線ｄ１又は切り込みｄ２又はこれらの組み合わせからなり、左右の各側面板１４、１２を折り曲げ案内して箱Ｃ９全体を扁平状に折り畳み可能な解体機能部Ｄ１、Ｄ２を備え、各フラップ１５３，１６３、１５４，１６４の先端縁の幅方向中間に略Ｖ字形の溝１５７を形成されて、正面板１３から背面板１１に向けて加圧することにより、箱Ｃ９を扁平状に圧潰し又は折り畳むようにした。【選択図】図１８
2019006498.tif 000002
【特許請求の範囲】
【請求項１】
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁の幅方向中間に略Ｖ字形の溝を形成されて、前記各フラップの解体機能部が前記略Ｖ字形の溝に向けて延び、
前記各フラップを連接される各側面板に隣接する一方の側面板から他方の側面板に向けて圧することにより、箱が扁平状に圧潰し又は折り畳まれる、
ことを特徴とする解体機能付き包装用箱。
【請求項２】
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁は略Ｖ字形に形成されて、前記各フラップの解体機能部は前記略Ｖ字形の先端縁の中間凹部に向けて延び、
前記各フラップを連接される各側面板に隣接する一方の側面板から他方の側面板に向けて圧することにより、箱が扁平状に圧潰し又は折り畳まれる、
ことを特徴とする解体機能付き包装用箱。
【請求項３】
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
前記各側面板と前記解体機能部を有する前記各フラップとの境界に、前記フラップ側に凸の略山形に延びる罫線又は切り込み又はこれらの組み合わせからなり、前記各フラップの折り曲げとともに前記各フラップを箱外部に飛び出し案内可能な解体機能部を、
それぞれ備え、
前記各フラップを連接される各側面板に隣接する一方の側面板から他方の側面板に向けて圧することにより、箱が扁平状に圧潰し又は折り畳まれる、
ことを特徴とする解体機能付き包装用箱。
【請求項４】
各フラップを連接される各側面板の解体機能部は前記各側面板の端縁部を跨いで延び、前記各フラップの解体機能部に連続する請求項１乃至３のいずれかに記載の解体機能付き包装用箱。
【請求項５】
各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える請求項１乃至４のいずれかに記載の解体機能付き包装用箱。
【請求項６】
各フラップを連接される各側面板の解体機能部は、前記各側面板の前記各フラップ側の各端部で、前記各側面板の両角部に向けて略Ｖ字形に延びる請求項１乃至５のいずれかに記載の解体機能付き包装用箱。
【請求項７】
各フラップを連接される各側面板の解体機能部の中間に略Ｓ字形に切り込みを形成されて前記各側面板の折り曲げとともに相互に起立して係合可能なロック爪を有する請求項１乃至６のいずれかに記載の解体機能付き包装用箱。
【発明の詳細な説明】
【技術分野】
【０００１】
本発明は、医薬品などの物品を収納するのに使用する解体機能付き包装用箱に関する。
【背景技術】
【０００２】
医薬品などを収納する包装用箱は、例えば特許文献１に記載されているように、一枚のブランクシートから一体的に打ち抜かれて形成される一枚の紙基材から組み立てられ、箱の正面、背面及び左右両側面をなす４側面板と、箱の底面をなす底蓋と、箱の天面をなす天蓋とにより構成される。この箱の場合、底蓋、天蓋は共に、箱の４側面板のうち相互に対向する２側面板の端縁部から延びる一対のフラップ、及びこの２側面板の間の一方の側面板の端縁部から延びる先端に差し込み片を有する蓋からなる。
医薬品は箱の天面開口又は底面開口から入れて収納され、箱の天面開口は天蓋により、底面開口は底蓋により、それぞれ、一対のフラップ、蓋が順次閉じられ、蓋の差し込み片が箱の正面板内面の天面側、底面側の端部に糊付けされて封止される。なお、蓋は糊付けに代えて封緘テープで封止されることもある。医薬品を使用するときは、天蓋を切り開いて開封し、箱の中から医薬品を取り出す。
そして、箱の中の医薬品をすべて取り出し、使用済みになった箱はそのままの状態で廃棄されるか、又は天蓋、底蓋がそれぞれ箱の外に引き出されて、箱全体を扁平に畳んで廃棄されることになる。
【先行技術文献】
【特許文献】
【０００３】
【特許文献１】特開２００９−９１０３８号公報
【発明の概要】
【発明が解決しようとする課題】
【０００４】
ところで、病院の薬局や調剤薬局では、使用済みの薬の箱が大量に廃棄される。箱を廃棄する際は、潰したり折り畳んだりしにくい箱は潰されることなくゴミ箱に捨てられるため、ゴミ箱内で箱の嵩が増し、廃棄するのに手間がかかって作業効率が悪い。
そもそも、従来のこの種の包装用箱は、特に解体機能部なるものがないために、箱が使用済みになると、箱をそのままの状態で廃棄されることが多い。また、例えば、医薬品を収納する包装用箱には、１００錠の錠剤を収納する小型の箱、５００錠の錠剤を収納する中型の箱、１０００錠の錠剤を収納する大型の箱があり、特に、中型、大型の箱の場合、比較的大きな箱になるので、そのままの状態でゴミ箱などに廃棄すると、特に嵩張って邪魔になる。また、これらの箱が嵩張らないように箱を押し潰して平たくしようとすると、底蓋が閉じられたままでは、箱は潰れにくい。特に、中型、大型の箱など箱が大きくなる程潰れにくい。そこで、使用済みになった箱を小さくしようとすると、底蓋を箱の外に引き出して、箱の角の折り目に沿って全体を扁平に折り畳む他なく、煩雑な作業を強いられることになる。
【０００５】
本発明は、このような従来の問題を解決するもので、この種の包装用箱において、使用済みになった箱を簡単かつ迅速に扁平状に押し潰し又は折り畳むこと、もって、使用済みの箱の廃棄の作業効率を高めること、を目的とする。
【課題を解決するための手段】
【０００６】
上記目的を達成するために、本発明の解体機能付き包装用箱（１）は、
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁の幅方向中間に略Ｖ字形の溝を形成されて、前記各フラップの解体機能部が前記略Ｖ字形の溝に向けて延び、
前記各フラップを連接される各側面板に隣接する一方の側面板から他方の側面板に向けて圧することにより、箱が扁平状に圧潰し又は折り畳まれる、
ことを要旨とする。
この包装用箱（１）はまた、次のような構成を備えることが好ましい。
（イ）各フラップを連接される各側面板の解体機能部は前記各フラップ側の端部が前記各側面板の端縁部に近接する位置まで延びる。
（ロ）各フラップを連接される各側面板の解体機能部は前記各側面板の端縁部を跨いで延び、前記各フラップの解体機能部に連続する。
（ハ）各フラップを連接される各側面板に隣接する両方又は一方の側面板に蓋が連接され、前記両方の蓋又は前記一方の蓋は奥行き方向中間部で前記各側面板の解体機能部に対応して直線的に延びる罫線又は切り込み又はこれらの組み合わせからなる解体機能部を併せて備える。
この場合、両方又は一方の蓋の解体機能部は当該蓋の奥行き方向中間部の両端に分割して短く形成されることが好ましい。
（ニ）各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える。
この場合、外蓋の解体機能部は当該外蓋の奥行き方向中間部の両端に分割して短く形成されることが好ましい。
（ホ）各フラップを連接される各側面板の解体機能部は、前記各側面板の前記各フラップ側の各端部で、前記各側面板の両角部に向けて略Ｖ字形に延びる。
（ヘ）各フラップを連接される各側面板の解体機能部の一部に略Ｓ字形に切り込みを形成されて前記各側面板の折り曲げとともに相互に起立して係合可能なロック爪を有する。
上記目的を達成するために、本発明の解体機能付き包装用箱（２）は、
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁は略Ｖ字形に形成されて、前記各フラップの解体機能部は前記略Ｖ字形の先端縁の中間凹部に向けて延び、
前記各フラップを連接される各側面板に隣接する一方の側面板から他方の側面板に向けて圧することにより、箱が扁平状に圧潰し又は折り畳まれる、
ことを要旨とする。
この包装用箱（２）はまた、次のような構成を備えることが好ましい。
（イ）各フラップを連接される各側面板の解体機能部は前記各フラップ側の端部が前記各側面板の端縁部に近接する位置まで延びる。
（ロ）各フラップを連接される各側面板の解体機能部は前記各側面板の端縁部を跨いで延び、前記各フラップの解体機能部に連続する。
（ハ）各フラップを連接される各側面板に隣接する両方又は一方の側面板に蓋が連接され、前記両方の蓋又は前記一方の蓋は奥行き方向中間部で前記各側面板の解体機能部に対応して直線的に延びる罫線又は切り込み又はこれらの組み合わせからなる解体機能部を併せて備える。
この場合、両方又は一方の蓋の解体機能部は当該蓋の奥行き方向中間部の両端に分割して短く形成されることが好ましい。
（ニ）各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える。
この場合、外蓋の解体機能部は当該外蓋の奥行き方向中間部の両端に分割して短く形成されることが好ましい。
（ホ）各フラップを連接される各側面板の解体機能部は、前記各側面板の前記各フラップ側の各端部で、前記各側面板の両角部に向けて略Ｖ字形に延びる。
（ヘ）各フラップを連接される各側面板の解体機能部の一部に略Ｓ字形に切り込みを形成されて前記各側面板の折り曲げとともに相互に起立して係合可能なロック爪を有する。
上記目的を達成するために、本発明の解体機能付き包装用箱（３）は、
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
前記各側面板と前記解体機能部を有する前記各フラップとの境界に、前記フラップ側に凸の略山形に延びる罫線又は切り込み又はこれらの組み合わせからなり、前記各フラップの折り曲げとともに前記各フラップを箱外部に飛び出し案内可能な解体機能部を、
それぞれ備え、
前記各フラップを連接される各側面板に隣接する一方の側面板から他方の側面板に向けて圧することにより、箱が扁平状に圧潰し又は折り畳まれる、
ことを要旨とする。
この包装用箱（３）はまた、次のような構成を備えることが好ましい。
（イ）各フラップとこれを連接される各側面板との境界の解体機能部は、山形の両端が前記各フラップを連接される前記各側面板に隣接する各側面板の端縁部に対して前記隣接する各側面板側となる内側に僅かに入り込む位置を取り、山形の中央が前記隣接する各側面板の端縁部に対して外側に僅かに突き出す位置を取る。
（ロ）各フラップを連接される各側面板の解体機能部は前記各フラップ側の端部が前記各側面板の端縁部に近接する位置まで延びる。
（ハ）各フラップを連接される各側面板の解体機能部は前記各側面板の端縁部を跨いで延び、前記各フラップの解体機能部に連続する。
（ニ）各フラップを連接される各側面板に隣接する両方又は一方の側面板に蓋が連接され、前記両方の蓋又は前記一方の蓋は奥行き方向中間部で前記各側面板の解体機能部に対応して直線的に延びる罫線又は切り込み又はこれらの組み合わせからなる解体機能部を併せて備える。
この場合、両方又は一方の蓋の解体機能部は当該蓋の奥行き方向中間部の両端に分割して短く形成されることが好ましい。
（ホ）各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える。
この場合、外蓋の解体機能部は当該外蓋の奥行き方向中間部の両端に分割して短く形成されることが好ましい。
（ヘ）各フラップを連接される各側面板の解体機能部は、前記各側面板の前記各フラップ側の各端部で、前記各側面板の両角部に向けて略Ｖ字形に延びる。
（ト）各フラップを連接される各側面板の解体機能部の一部に略Ｓ字形に切り込みを形成されて前記各側面板の折り曲げとともに相互に起立して係合可能なロック爪を有する。
【発明の効果】
【０００７】
本発明の解体機能付き包装用箱（１）によれば、上記のとおり、各フラップを連接される各側面板の幅方向中間に、各フラップ及び各側面板の連接方向に向けて直線的に延びる罫線又は切り込み又はこれらの組み合わせからなり、各フラップを連接される各側面板を折り曲げ案内して箱全体を扁平状に折り畳み可能な解体機能部を、底蓋側又は天蓋側の少なくとも一方の各フラップの幅方向中間に、各側面板の解体機能部に対応して直線的に延びる罫線又は切り込み又はこれらの組み合わせからなり、各フラップを折り曲げ案内可能な解体機能部を、それぞれ備え、解体機能部を有する各フラップの先端縁の幅方向中間に略Ｖ字形の溝を形成されて、各フラップの解体機能部が略Ｖ字形の溝に向けて延び、各フラップを連接される各側面板に隣接する一方の側面板から他方の側面板に向けて圧することにより、箱が扁平状に圧潰し又は折り畳まれるようにしたので、使用済みになった箱を簡単に押し潰して扁平にすることができ、もって、使用済みの箱の廃棄の作業効率を高めることができる、という本発明独自の格別な効果を奏する。
本発明の解体機能付き包装用箱（２）によれば、上記のとおり、各フラップを連接される各側面板の幅方向中間に、各フラップ及び各側面板の連接方向に向けて直線的に延びる罫線又は切り込み又はこれらの組み合わせからなり、各フラップを連接される各側面板を折り曲げ案内して箱全体を扁平状に折り畳み可能な解体機能部を、底蓋側又は天蓋側の少なくとも一方の各フラップの幅方向中間に、各側面板の解体機能部に対応して直線的に延びる罫線又は切り込み又はこれらの組み合わせからなり、各フラップを折り曲げ案内可能な解体機能部を、それぞれ備え、解体機能部を有する各フラップの先端縁は略Ｖ字形に形成されて、各フラップの解体機能部は略Ｖ字形の先端縁の中間凹部に向けて延び、各フラップを連接される各側面板に隣接する一方の側面板から他方の側面板に向けて圧することにより、箱が扁平状に圧潰し又は折り畳まれるようにしたので、使用済みになった箱を簡単に押し潰して扁平にすることができ、もって、使用済みの箱の廃棄の作業効率を高めることができる、という本発明独自の格別な効果を奏する。
本発明の解体機能付き包装用箱（３）によれば、上記のとおり、各フラップを連接される各側面板の幅方向中間に、各フラップ及び各側面板の連接方向に向けて直線的に延びる罫線又は切り込み又はこれらの組み合わせからなり、各フラップを連接される各側面板を折り曲げ案内して箱全体を扁平状に折り畳み可能な解体機能部を、底蓋側又は天蓋側の少なくとも一方の各フラップの幅方向中間に、各側面板の解体機能部に対応して直線的に延びる罫線又は切り込み又はこれらの組み合わせからなり、各フラップを折り曲げ案内可能な解体機能部を、各側面板と解体機能部を有する各フラップとの境界に、フラップ側に凸の略山形に延びる罫線又は切り込み又はこれらの組み合わせからなり、各フラップの折り曲げとともに各フラップを箱外部に飛び出し案内可能な解体機能部を、それぞれ備え、各フラップを連接される各側面板に隣接する一方の側面板から他方の側面板に向けて圧することにより、箱が扁平状に圧潰し又は折り畳まれるようにしたので、使用済みになった箱を簡単に押し潰して扁平にすることができ、もって、使用済みの箱の廃棄の作業効率を高めることができる、という本発明独自の格別な効果を奏する。
【図面の簡単な説明】
【０００８】
【図１】本発明の第１の実施の形態における解体機能付き包装用箱の外部構成を示す図（斜視図）
【図２】同箱を展開した状態を示す図（展開図）
【図３】同箱の右の側面板の構成を示す図（斜視図）
【図４】同箱の左の側面板の構成を示す図（斜視図）
【図５】同箱の底蓋の外蓋の構成を示す図（斜視図）
【図６】同箱の天蓋の蓋の構成を示す図（斜視図）
【図７】同箱の開封方法を示す図（斜視図）
【図８】同箱の押し潰す方法を示す図（斜視図）
【図９】同箱の潰れた状態示す図（斜視図）
【図１０】本発明の第２の実施の形態における解体機能付き包装用箱の構成を示す図（展開図）
【図１１】本発明の第３の実施の形態における解体機能付き包装用箱の構成を示す図（展開図）
【図１２】本発明の第４の実施の形態における解体機能付き包装用箱の構成を示す図（展開図）
【図１３】本発明の第５の実施の形態における解体機能付き包装用箱の構成を示す図（展開図）
【図１４】本発明の第６の実施の形態における解体機能付き包装用箱の構成を示す図（展開図）
【図１５】本発明の第７の実施の形態における解体機能付き包装用箱の構成を示す図（展開図）
【図１６】本発明の第８の実施の形態における解体機能付き包装用箱の構成を示す図（展開図）
【図１７】本発明の第９の実施の形態における解体機能付き包装用箱の外部構成を示す図（斜視図）
【図１８】同箱を展開した状態を示す図（展開図）
【図１９】同箱の開封方法を示す図（斜視図）
【図２０】同箱の押し潰す方法を示す図（斜視図）
【図２１】同箱の潰れた状態示す図（斜視図）
【図２２】本発明の第１０の実施の形態における解体機能付き包装用箱の構成を示す図（展開図）
【図２３】本発明の第１１の実施の形態における解体機能付き包装用箱の構成を示す図（展開図）
【図２４】本発明の第１２の実施の形態における解体機能付き包装用箱の構成を示す図（展開図）
【図２５】本発明の第１３の実施の形態における解体機能付き包装用箱の構成を示す図（展開図）
【図２６】本発明の第１４の実施の形態における解体機能付き包装用箱の構成を示す図（展開図）
【図２７】本発明の第１５の実施の形態における解体機能付き包装用箱の構成を示す図（展開図）
【図２８】同箱の潰れた状態が各側面板のロック爪により保持された状態を示す図（斜視図）
【発明を実施するための形態】
【０００９】
次に、この発明を実施するための形態について図を用いて説明する。
図１、図２に第１の実施の形態を示している。図１は解体機能付き包装用箱の全体構成を示す斜視図であり、図２は解体機能付き包装用箱の展開図である。また、図３乃至図６にこの解体機能付き包装用箱の各部の構成を示している。
なお、この解体機能付き包装用箱は、特に医薬品の包装に用いるもので、この場合、幅８８ｍｍ、奥行き５６ｍｍ、高さ１０２ｍｍの、３００錠の錠剤を収納する小型の箱になっている。
【００１０】
図１、図２に示すように、解体機能付き包装用箱Ｃ１（以下、包装用箱Ｃ１又は箱Ｃ１という場合がある。）は、所謂板紙と呼ばれる比較的厚さがあり直立性のある紙材により形成され、箱Ｃ１の正面、背面及び左右両側面をなす４側面板１１−１４と、箱Ｃ１の底面をなす底蓋１５と、箱Ｃ１の天面をなす天蓋１６とにより構成され、底蓋１５、天蓋１６はそれぞれ、４側面板１１−１４のうち相互に対向する２側面板１４、１２の各端縁部に罫線Ｌ９，Ｌ１２、Ｌ１０，Ｌ１３を介して連接される一対のフラップ１５３，１５４、１６３，１６４、及び２側面板１４、１２間の両方又は一方の側面板１１、１３又は１１の端縁部に罫線Ｌ５、Ｌ１１、Ｌ７を介して連接される蓋１５５、１５６、１６１を有し、箱Ｃ１の底面開口、天面開口がそれぞれ底蓋１５、天蓋１６により閉じられる。
【００１１】
この箱Ｃ１の場合、全体が、縦に長い直方体状に構成され、背面板１１、正面板１３はそれぞれ、同じ大きさの縦長の長方形で、左側面板１４、右側面板１２はそれぞれ、背面板１１、正面板１３よりも幅が少し狭い同じ大きさの縦長の長方形になっている。なお、この場合、背面板１１の左側面板１４とは反対側の側縁部（左側縁部）に接続片１１１が形成され、この接続片１１１が右側面板１２の内面で背面側の側縁部に糊を介して接続される。
この４側面板１１−１４のうち左側面板１４、右側面板１２には、この箱Ｃ１に特有の解体機能部Ｄ１が付設される。この解体機能部Ｄ１については後述する。
【００１２】
底蓋１５は、４側面板１１−１４の各端縁部、この場合、左右の各側面板１４、１２の下端縁部から罫線Ｌ９、Ｌ１２（なお、罫線Ｌ９、Ｌ１２はミシン目線でもよい。）を介して連接される左右一対のフラップ１５３、１５４と、背面板１１の下端縁部から罫線Ｌ５を介して連接される内蓋１５５と、正面板１３の下端縁部から罫線Ｌ１１を介して連接される外蓋１５６とからなる。この場合、左右の一対のフラップ１５３、１５４はそれぞれ、箱Ｃ１の底面開口（の左右両端）を部分的に被覆可能に全体が略Ｍ字形に突出形成されて先端縁がＶ字形に形成される。内蓋１５５は箱Ｃ１の底面開口を全体的に被覆可能に全体が略Ｔ字形に形成され、蓋幅が所定の位置で小さくなっている。外蓋１５６は箱Ｃ１の底面開口の略全体を被覆可能に全体が略台形に形成される。
このようにして箱Ｃ１の底面開口は各フラップ１５３、１５４、及び内蓋１５５、外蓋１５６により順次閉じられ、外蓋１５６が内蓋１５５に糊付けされて封止される。
この底蓋１５には、この箱Ｃ１に特有の解体機能部Ｄ２、Ｄ３が付設される。この解体機能部Ｄ２、Ｄ３については後述する。
【００１３】
天蓋１６は、底蓋１５と若干異なり、４側面板１１−１４のうちの３側面板１４、１２、１１の各端縁部、この場合、左側面板１４、右側面板１２の上端縁部から罫線Ｌ１０、Ｌ１３（なお、罫線Ｌ１０、Ｌ１３はミシン目線でもよい。）を介して連接される左右一対のフラップ１６３、１６４と、背面板１１の上端縁部から罫線Ｌ７を介して連接される蓋１６１及びこの蓋１６１の先端から突出される差し込み片１６２とからなる。この場合、左右の各フラップ１６３、１６４はそれぞれ、箱Ｃ１の天面開口（の左右両端）を部分的に被覆可能に全体が略台形状に形成される。蓋１６１は箱Ｃ１の天面開口の略全体を被覆可能に全体が略矩形状に形成され、差し込み片１６２が蓋１６１の先端に横長の略矩形状に左右両端を角丸にして形成される。このようにして箱Ｃ１の天面開口は各フラップ１６３、１６４、蓋１６１により順次閉じられ、蓋１６１の差し込み片１６２が正面板１３内面の天面側の端部に糊付けされて封止される。なお、この天蓋１６の差し込み片１６２が糊付けされる正面板１３の天面側の端部には開封用の切り取り線Ｋ１が形成される。この場合、開封用の切り取り線Ｋ１は、正面板１３の天面側の端部に上端縁部から底面側に向けて略台形の溝形にミシン目が付けられて形成される。
この天蓋１６には、この箱Ｃ１に特有の解体機能部Ｄ２が付設される。この解体機能部Ｄ２については後述する。
【００１４】
この包装用箱Ｃ１は、底面開口が各フラップ１５３、１５４を介して内蓋１５５、外蓋１５６により閉じられ、外蓋１５６が内蓋１５５に糊付けされて封止され、天面開口が各フラップ１６３、１６４を介して蓋１６１により閉じられ、蓋１６１先端の差し込み片１６２が正面板１３内面の天面側の端部に糊付けされて封止される。なお、蓋は糊付けに代えて封緘テープで封止されることもある。このようにして天蓋１６が正面板１３の天面側の端部に形成された開封用の切り取り線Ｋ１に沿って切り離されることによって天蓋１６が開封されるようになっている。
【００１５】
そして、この包装用箱Ｃ１では、特に、底面側、天面側の各フラップ１５３，１６３、１５４，１６４を連接された左右の各側面板１４、１２の幅方向中間に、各フラップ１５３，１６３、１５４，１６４及び各側面板１４、１２の連接方向に向けて直線的に延びる罫線又は切り込み又はこれらの組み合わせからなり、各フラップ１５３，１６３、１５４，１６４を連接された各側面板１４、１２を折り曲げ案内して箱Ｃ１全体を扁平状に折り畳み可能な解体機能部Ｄ１を備える。また、底面側、天面側の各フラップ１５３，１５４、１６３，１６４の幅方向中間で各側面板１４、１２の解体機能部Ｄ１に対応する位置に直線的に延びる罫線又は切り込み又はこれらの組み合わせからなる解体機能部Ｄ２を併せて備える。さらに、この箱Ｃ１の場合、解体機能部Ｄ１を有する各側面板１４、１２に隣接する一方の側面板１３に連接される蓋１５６の奥行き方向中間部で各側面板１４、１２の解体機能部Ｄ１に対応する位置、言い換えれば、各フラップ１５３，１５４、１６３，１６４の解体機能部Ｄ２に重なる位置に直線的に延びる罫線又は切り込み又はこれらの組み合わせからなる解体機能部Ｄ３を併せて備える。
【００１６】
この場合、左右の各側面板１４、１２の解体機能部Ｄ１は、図３、図４に示すように、各側面板１４、１２の幅方向略中央に各フラップ１５３，１６３、１５４，１６４及び各側面板１４、１２の連接方向に向けて直線的に延びる罫線ｄ１からなる。この場合、罫線ｄ１は押罫により折り溝が側面板１４、１２の外面側から内面側に向けて付けられて形成される。また、この場合、罫線ｄ１は断続的に形成され、各側面板１４、１２の天面側の端部から底面側の端部に向けて延びる短い罫線ｄ１と、各側面板１４、１２の底面側半面で底面側の端部付近まで延びる比較的長い罫線ｄ１とからなる。なお、ここでは、罫線ｄ１としたが、切り込み又は罫線と切り込みとの組み合わせであってもよい。
底蓋１５をなす左右の各フラップ１５３、１５４の解体機能部Ｄ２は、（図２参照）各フラップ１５３、１５４の幅方向略中央に各フラップ１５３、１５４及び各側面板１４、１２の連接方向に向けて直線的に延びる切り込みｄ２からなる。この場合、各フラップ１５３、１５４の切り込みｄ２は各フラップ１５３、１５４の各側面板１４、１２側の端部に近接する位置から略Ｖ字形の先端縁の中間凹部に向けてその凹部付近まで延びる。なお、ここでは、切り込みｄ２としたが、罫線ｄ１又は罫線ｄ１と切り込みｄ２との組み合わせであってもよい。
底蓋１５をなす外蓋１５６の解体機能部Ｄ３は、図５に示すように、この蓋１５６の奥行き方向略中央に直線的に延びる罫線ｄ１からなる。この場合、罫線ｄ１は押罫により折り溝が外蓋１５６の外面側から内面側に向けて付けられて形成される。また、この場合、罫線ｄ１は外蓋１５６の両側面板１４、１２側の両端部間に延びる。
なお、ここでは、罫線ｄ１としたが、切り込みｄ２又は罫線ｄ１と切り込みｄ２との組み合わせであってもよい。
また、この場合、底蓋１５をなす内蓋１５５は全体が略Ｔ字形に形成されて、外蓋１５６の解体機能部Ｄ３の位置に対応する位置で蓋幅を小さくしてある。この内蓋１５５の略Ｔ字形の形態もまた、解体機能部の一つとなす。
天蓋１６をなす左右の各フラップ１６３、１６４の解体機能部Ｄ２は、（図２参照）各フラップ１６３、１６４の幅方向略中央に各フラップ１６３、１６４及び各側面板１４、１２の連接方向に向けて直線的に延びる罫線ｄ１からなる。この場合、罫線ｄ１は押罫により折り溝がフラップ１６３、１６４の外面側から内面側に向けて付けられて形成される。また、この場合、各フラップ１６３、１６４の罫線ｄ１は各フラップ１６３、１６４の各側面板１４、１２側の端部から先端縁付近まで延びる。
なお、ここでは、罫線ｄ１としたが、切り込みｄ２又は罫線ｄ１と切り込みｄ２との組み合わせであってもよい。
また、天蓋１６をなす蓋１６１には、図６に示すように、解体機能部、つまり、罫線などは設けられていない。箱Ｃ１は天蓋１６の開封後に押し潰す又は折り畳まれるので、天蓋１６の場合、蓋１６１を折り曲げ案内する必要がない。
【００１７】
このようにしてこの箱Ｃ１は解体機能部Ｄ１を有する各側面板１４、１２に隣接する一方の側面板１３又は１１を他方の側面板１１又は１３に向けて圧することにより、つまり、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ１が扁平状に圧潰し又は折り畳まれるようになっている。
【００１８】
なお、この箱Ｃ１は、図２に示すように、全体が一枚のブランクシートから一体的に打ち抜かれて形成される一枚の紙基材Ｐ１からなる。
この紙基材Ｐ１は、展開した状態において、組み立て時に箱Ｃ１の背面板１１をなす背面板部Ｐ１１と、背面板部Ｐ１１の左側縁部に罫線Ｌ４を介して連続して設けられ、組み立て時に箱Ｃの右側面板１２の内面に固定される接続片１１１をなす接続片部Ｐ１１１と、背面板部Ｐ１１の右側縁部に罫線Ｌ１を介して連続して設けられ、組み立て時に箱Ｃ１の左側面板１４をなす左側面板部Ｐ１４と、左側面板部Ｐ１４の右側縁部に罫線Ｌ２を介して連続して設けられ、組み立て時に箱Ｃ１の正面板１３をなす正面板部Ｐ１３と、正面板部Ｐ１３の右側縁部に罫線Ｌ３を介して連続して設けられ、組み立て時に箱Ｃ１の右側面板１２をなす右側面板部Ｐ１２と、背面板部Ｐ１１の下端縁部に罫線Ｌ５を介して連続して設けられ、組み立て時に底蓋１５の内蓋１５５をなす内蓋部Ｐ１５５と、背面板部Ｐ１１の上端縁部に罫線Ｌ７を介して連続して設けられ、組み立て時に天蓋１６の蓋１６１をなす上端（先端）に罫線Ｌ８を介して差し込み片１６２（差し込み片部Ｐ１６２）を有する蓋部Ｐ１６１と、左側面板部Ｐ１４の下端縁部に罫線Ｌ９を介して連続して設けられ、組み立て時に底蓋１５の左のフラップ１５３をなす左のフラップ部Ｐ１５３と、左側面板部Ｐ１４の上端縁部に罫線Ｌ１０を介して連続して設けられ、組み立て時に天蓋１６の左のフラップ１６３をなす左のフラップ部Ｐ１６３と、正面板部Ｐ１３の下端縁部に罫線Ｌ１１を介して連続して設けられ、組み立て時に底蓋１５の外蓋１５６をなす外蓋部Ｐ１５６と、右側面板部Ｐ１２の下端縁部に罫線Ｌ１２を介して連続して設けられ、組み立て時に底蓋１５の右のフラップ１５４をなす右のフラップ部Ｐ１５４と、右側面板部Ｐ１２の上端縁部に罫線Ｌ１３を介して連続して設けられ、組み立て時に天蓋１６の右のフラップ１６４をなす右のフラップ部Ｐ１６４と、を備える。この紙基材Ｐ１の各部の大きさや形状、開封用の切り取り線Ｋ１の位置と形状、解体機能部Ｄ１−Ｄ３の位置と形状などは既述のとおりである。
紙基材Ｐ１はかかる構成からなり、この紙基材Ｐ１から、背面板部Ｐ１１の左側部に設けられた接続片部Ｐ１１１が右側面板部Ｐ１２内面の背面側の側縁部に糊を介して結合され、底面開口は左右の各フラップ部Ｐ１５３、Ｐ１５４を介して内蓋部Ｐ１５５、外蓋部Ｐ１５６により閉じられ、外蓋部１５６が内蓋１５５に糊付けされて封止され、天面開口は左右の各フラップ部Ｐ１６３、Ｐ１６４を介して蓋部Ｐ１６１により閉じられ、蓋部Ｐ１６１上端の差し込み片部Ｐ１６２が正面板部Ｐ１３内面の天面側の端部に糊付けされて又は蓋部Ｐ１６１と正面板部Ｐ１３との間に封緘テープを貼着されて封止され、箱Ｃ１が組み立てられる。
また、この箱Ｃ１の組み立てとともに医薬品が箱Ｃ１内に収納される。この場合の手順はさまざまで、箱Ｃ１の４側面１１−１４が組み立て結合された後、箱Ｃ１の天面開口又は底面開口から医薬品が箱Ｃ１内に収納されてから、天面、底面双方の開口が略同時に封止される場合、箱Ｃ１の４側面が組み立て結合され、天面又は底面の一方が先に封止されてから、医薬品が箱Ｃ内に収納された後、他方が封止される場合など、機械包装か手包装かなどによって異なる。このようにして箱Ｃ１に医薬品、この場合、３００錠の錠剤が収納される。
【００１９】
医薬品を使用する際は、天蓋１６を切り開いて開封し、箱Ｃ１の中から医薬品を取り出す。この場合、図７（ａ）、（ｂ）に示すように、箱Ｃ１の正面板１３上部の開封用の切り取り線Ｋ１内を指で押し破り、そのまま天蓋１６の蓋１６１を引き上げれば、箱Ｃ１の天面開口が開き、開封される。これにより、天面開口から医薬品を取り出すことができる。なお、この箱Ｃ１の開封後は、天蓋１６を用いて再封可能である。この場合、箱Ｃ１の天面開口を左右の各フラップ１６３、１６４、蓋１６１で閉じ、蓋１６１先端の差し込み片１６２を正面板１３の内面に沿って差し込み係止すればよい。
そして、箱Ｃ１の中の医薬品をすべて取り出し、使用済みになった箱Ｃ１は、箱Ｃ１の各部に付設された解体機能部Ｄ１−Ｄ３により、箱Ｃ１全体が扁平に潰されて又は折り畳まれて廃棄されることになる。
【００２０】
図８、図９にこの箱Ｃ１の解体機能部Ｄ１−Ｄ３の使用例を示している。
まず、図８（１）に示すように、使用済みになった箱Ｃ１を、正面板１３（又は背面板１１）を上に向けて、机やテーブルあるいは台の上など平らな所に置く。そして、図８（２）、（３）に示すように、正面板１３から背面板１１に向けて（又はその反対に）各板１３、１１全体に軽く打撃を加える（つまり、軽く叩く）と、図９（ａ）に示すように、左右の各側面板１４、１２が罫線ｄ１を突出端として略扁平状になって外側に突き出される。また、このとき、底蓋１５をなす各フラップ１５３、１５４は、その略Ｍ字形の形状により、相互に糊付けされて接合された内蓋１５５と外蓋１５６の内側から外側に向けて抜けやすくなり、他方、天蓋１６をなす各フラップ１６３、１６４は蓋１６１が既に開封されていることにより蓋１６１の内側から外側に向けて抜けやすくなっているため、これら底面側、天面側の各フラップ１５３，１５４、１６３，１６４もまた罫線ｄ１、切り込みｄ２を突出端として略扁平状になって天蓋１６、底蓋１５の内側から外側に飛び出し、全体が略扁平状に圧潰される。なお、箱Ｃ１の紙材のクセによって、底蓋１５の各フラップ１５３、１５４が、図９（ｂ）に示すように、箱Ｃ１の中に折り込まれる場合もある。
また、箱Ｃ１の正面板１３又は背面板１１を叩くことに代えて、箱Ｃ１の正面板１３と背面板１１の左右両側縁部間を押し合わせるようにして圧を加えてもよく、このようにしても、上記と同様に、箱Ｃ１全体を略扁平状に折り畳むことができる。
また、この場合、左右の各側面板１４、１２及び底面側、天面側の各フラップ１５３，１５４、１６３，１６４をそれぞれ、罫線ｄ１、切り込みｄ２に沿って内側に押し込みながら箱Ｃ１の正面板１３と背面板１１の左右両側縁部間を押し合わせると、左右の各側面板１４、１２及びその上下の各フラップ１６３，１５３、１６４，１５４がそれぞれ正面板１３と背面板１１との間に折り込まれて正面板１３と背面板１１とを合せて扁平状に折り畳み、さらに天蓋１６又は底蓋１５を正面板１３側又は背面板１１側に折り返して折り畳むこともできる。
これにより、使用済みの箱Ｃ１を扁平状に小さくして廃棄することができる。
【００２１】
以上説明したように、この解体機能付き包装用箱Ｃ１によれば、各フラップ１５３，１６３、１５４，１６４を連接された各側面板１４、１２の幅方向中間（この場合、中央）に、各フラップ１５３，１６３、１５４，１６４及び各側面板１４、１２の連接方向に向けて直線的に延びる罫線ｄ１又は切り込みｄ２又はこれらの組み合わせからなり、各フラップ１５３，１６３、１５４，１６４を連接された各側面板１４、１２を折り曲げ案内して箱Ｃ１全体を扁平状に折り畳み可能な解体機能部Ｄ１を備え、この解体機能部Ｄ１を有する各側面板１４、１２に隣接する一方の側面板１３又１１から他方の側面板１１又は１３に向けて加圧することにより、箱Ｃ１が扁平状に圧潰し又は折り畳まれるようにしたので、使用済みになった箱Ｃ１を簡単かつ迅速に扁平状に押し潰し又は折り畳むことができる。これにより、医療従事者による使用済みの箱Ｃ１の廃棄の作業効率を著しく高めることができる。
【００２２】
また、この包装用箱Ｃ１では、各フラップ１５３，１６３、１５４，１６４の幅方向中間（この場合、略中央）で各側面板１４、１２の解体機能部Ｄ１に対応する位置に直線的に延びる罫線ｄ１又は切り込みｄ２又はこれらの組み合わせからなる解体機能部Ｄ２を併せて備えたので、これが、各側面板１４、１２の解体機能部Ｄ１と同様に作用し、使用済みになった箱Ｃ１をさらに簡単に扁平に押し潰し又は折り畳むことができる。また、この場合、特に底蓋１５の各フラップ１５３、１５４の先端縁が略Ｖ字形に形成され、各フラップ１５３、１５４の解体機能部Ｄ２は略Ｖ字形の先端縁の中間凹部に向けて延びるようにしたので、正面板１３の加圧により、各フラップ１５３、１５４が内蓋１５５、外蓋１５６の内側から外側に飛び出しやすくなって、各フラップ１５３、１５４をさらに簡単に扁平状に押し潰し又は折り畳むことができる。
さらに、この包装用箱Ｃ１では、解体機能部Ｄ１を有する各側面板１４、１２（この場合、左右の側面板１４、１２）に隣接する両方の側面板１３、１１（この場合、正面板１３、背面板１１）に蓋１５５、１５６（この場合、内蓋１５５、外蓋１５６）を連接され、一方の蓋１５６（この場合、外蓋１５６）は奥行き方向中間部で各側面板１４、１２の解体機能部Ｄ１に対応する位置、すなわち、各フラップ１５３、１５４の解体機能部Ｄ２に重なる位置に直線的に延びる解体機能部Ｄ３を併せて備え、他方の蓋１５５（この場合、内蓋１５５）は略Ｔ字形に形成されて、一方の蓋１５６（この場合、外蓋１５６）の解体機能部Ｄ３の位置に対応する位置で蓋幅を小さくしたので、これらの蓋１５５、１５６が共に折れ曲がりやすくなり、各側面板１４、１２の解体機能部Ｄ１と同様に作用して、使用済みになった箱Ｃ１を一層簡単に扁平状に押し潰し又は折り畳むことができる。
【００２３】
続いて、図１０乃至図１６を用いて第２乃至第８の実施の形態について説明する。なお、ここでは、各実施の形態を展開図のみで示している。
いずれの包装用箱Ｃ２−Ｃ８においても、全体が一枚のブランクシートから一体的に打ち抜かれて形成される一枚の紙基材Ｐ２−Ｐ８からなり、箱Ｃ２−Ｃ８の正面、背面及び左右両側面をなす４側面板１１−１４と、箱Ｃ２−Ｃ８の底面をなす底蓋１５と、箱Ｃ２−Ｃ８の天面をなす天蓋１６とにより構成され、底蓋１５、天蓋１６はそれぞれ、４側面板１１−１４のうち相互に対向する２側面板１４、１２の各端縁部に罫線を介して連接される一対のフラップ１５３，１５４、１６３，１６４、及び２側面板１４、１２間の両方の側面板１１、１３又はその一方の側面板１１の端縁部に罫線を介して連接される蓋１５５，１５６又は１５１、１６５，１６６又は１６１を有し、箱Ｃ２−Ｃ８の底面開口、天面開口がそれぞれ底蓋１５、天蓋１６により閉じられる形式になっている点で、第１の実施の形態のものと共通する。
そして、いずれの包装用箱Ｃ２−Ｃ８でも、特に、各フラップ１５３，１６３、１５４，１６４を連接された各側面板１４、１２の幅方向中間に、各フラップ１５３，１６３、１５４，１６４及び各側面板１４、１２の連接方向に向けて直線的に延びる罫線ｄ１又は切り込みｄ２又はこれらの組み合わせからなり、各フラップ１５３，１６３、１５４，１６４を連接された各側面板１４、１２を折り曲げ案内して箱Ｃ２−Ｃ８全体を扁平状に折り畳み可能な解体機能部Ｄ１を備える点、また、各フラップ１５３，１６３、１５４，１６４の幅方向中間で各側面板１４、１２の解体機能部Ｄ１に対応する位置に直線的に延びる罫線ｄ１又は切り込みｄ２又はこれらの組み合わせからなる解体機能部Ｄ２を併せて備える点、さらに、この箱Ｃ２−Ｃ８の場合、解体機能部Ｄ１を有する各側面板１４、１２に隣接する両方の側面板１１、１３又は一方の側面板１１に蓋１５５，１５６又は１５１、１６５，１６６又は１６１が連接され、蓋１５５，１５６又は１５１、１６１の奥行き方向中間部で各側面板１４、１２の解体機能部Ｄ１に対応する位置、言い換えれば、各フラップ１５３，１６３、１５４，１６４の解体機能部Ｄ２に重なる位置に直線的に延びる罫線ｄ１又は切り込みｄ２又はこれらの組み合わせからなる解体機能部Ｄ３を併せて備える点で、第１の実施の形態のものと共通する。
【００２４】
図１０に第２の実施の形態を示している。
なお、この解体機能付き包装用箱Ｃ２は、特に医薬品の包装に用いるもので、この場合、幅９５ｍｍ、奥行き８０ｍｍ、高さ１７５ｍｍの、２００錠の錠剤を収納する中型の箱になっている。
【００２５】
図１０に示すように、この箱Ｃ２の場合、全体が、縦に長い直方体状に構成され、背面板１１、正面板１３はそれぞれ、同じ大きさの縦長の長方形で、左右の側面板１４、１２はそれぞれ、背面板１１、正面板１３よりも幅が少し狭い同じ大きさの縦長の長方形になっている。なお、この箱Ｃ２の場合、４側面板１１−１４は、左から順に左側面板１４、正面板１３、右側面板１２、背面板１１、接続片１１１になっており、接続片１１１が左側面板１４の内面で背面側の側縁部に糊を介して接続される。
これら４側面板１１−１４のうち、左右の各側面板１４、１２には、この箱Ｃ２に特有の解体機能部Ｄ１が付設される。この解体機能部Ｄ１については後述する。
【００２６】
底蓋１５は、４側面板１１−１４の各端縁部、この場合、左右の各側面板１４、１２の下端縁部から罫線を介して連接される左右一対のフラップ１５３、１５４と、正面板１３の下端縁部から罫線を介して連接される外蓋１５６と、背面板１１の下端縁部から罫線を介して連接される内蓋１５５とからなる。この場合、左右の各フラップ１５３、１５４はそれぞれ、箱Ｃ２の底面開口（の左右両端）を部分的に被覆可能に全体が略Ｍ字形に形成されて先端縁が略Ｖ字形に形成される。内蓋１５５は箱Ｃ２の底面開口の略全体を被覆可能に全体が略台形に形成され、外蓋１５６は箱Ｃ２の底面開口の略全体を被覆可能に全体が略台形に形成される。
この底蓋１５には、この箱Ｃ２に特有の解体機能部Ｄ２、Ｄ３が付設される。この解体機能部Ｄ２、Ｄ３については後述する。
【００２７】
天蓋１６は、底蓋１５と若干異なり、４側面板１１−１４の各端縁部、この場合、左右の各側面板１４、１２の上端縁部から罫線を介して連接される左右の各フラップ１６３、１６４と、正面板１３の上端縁部から罫線を介して連接される外蓋１６６と、背面板１１の上端縁部から罫線を介して連接される内蓋１６５とからなる。この場合、左右の各フラップ１６３、１６４はそれぞれ、箱Ｃ２の天面開口（の左右両端）を部分的に被覆可能に全体が略矩形状に形成される。内蓋１６５は箱Ｃ２の天面開口の略全体を被覆可能に全体が略台形に形成され形成される。外蓋１６６は箱Ｃ２の天面開口の略全体を被覆可能に全体が略台形に形成される。また、この外蓋１６６の奥行き方向中央付近には、左右両端間を横断して相互に平行に一対の切り取り線Ｋ２が形成されて、この一対の切り取り線Ｋ２の間に開封時に各切り取り線Ｋ２から切り取られる帯状の破断部Ｋ２１が設けられる。さらに、この外蓋１６６の手前側の切り取り線Ｋ２の略中央部分が奥側の切り取り線Ｋ２に向けて凸のコ字状に形成されて係止爪Ｋ３を併せて設けられ、この係止爪Ｋ３に対応する内蓋１６５の所定の位置に係止爪Ｋ３が挿通係止可能に切り込み部Ｋ４が併せて設けられる。
この天蓋１６には、この箱Ｃ２に特有の解体機能部Ｄ２が付設される。この解体機能部Ｄ２については後述する。
【００２８】
この箱Ｃ２の場合、左右の各側面板１４、１２の解体機能部Ｄ１は各側面板１４、１２に第１の実施の形態と同様に付設される。
底蓋１５をなす左右の各フラップ１５３、１５４の解体機能部Ｄ２は各フラップ１５３、１５４に第１の実施の形態と同様に付設される。
底蓋１５をなす内蓋１５５の解体機能部Ｄ３はこの内蓋１５５の奥行き方向中央で各フラップ１５３、１５４の解体機能部Ｄ２に重なる位置に直線的に延びる罫線ｄ１と切り込みｄ２の組み合わせ（この場合、ミシン目）からなる。この場合、罫線ｄ１と切り込みｄ２の組み合わせは内蓋１５５の両側面板１４、１２側の両端部間に延びる。なお、ここでは、罫線ｄ１と切り込みｄ２の組み合わせとしたが、罫線ｄ１又は切り込みｄ２であってもよい。
底蓋１５をなす外蓋１５６の解体機能部Ｄ３はこの蓋１５６の奥行き方向略中央に直線的に延びる罫線ｄ１からなる。この場合、罫線ｄ１は押罫により折り溝が外蓋１５６の外面側から内面側に向けて付けられて形成される。また、この場合、外蓋１５６の罫線ｄ１は外蓋１５６の両側面板１４、１２側の両端部間に延びる。なお、ここでは、罫線ｄ１としたが、切り込みｄ２又は罫線ｄ１と切り込みｄ２との組み合わせであってもよい。
天蓋１６をなす左右の各フラップ１６３、１６４の解体機能部Ｄ２は各フラップ１６３、１６４の幅方向略中央に各フラップ１６３、１６４及び各側面板１４、１２の連接方向に向けて直線的に延びる罫線ｄ１からなる。この場合、罫線ｄ１は押罫により折り溝がフラップ１６３、１６４の外面側から内面側に向けて付けられて形成される。また、この場合、各フラップ１６３、１６４の罫線ｄ１は各フラップ１６３、１６４の各側面板１４、１２側の端部から先端縁付近まで延びる。なお、ここでは、罫線ｄ１としたが、切り込みｄ２又は罫線ｄ１と切り込みｄ２との組み合わせであってもよい。
なお、天蓋１６をなす蓋１６５、１６６には解体機能部、つまり、罫線などは設けられていない。この箱Ｃ２は天蓋１６の開封後に押し潰す又は折り畳まれるので、天蓋１６の場合、蓋１６５、１６６を折り曲げ案内する必要がない。
【００２９】
この包装用箱Ｃ２は４側面板１１−１４が第１の実施の形態のものと概ね同様に組み立てられ、底面開口が各フラップ１５３、１５４を介して内蓋１５５、外蓋１５６により閉じられ、外蓋１５６が内蓋１５５に糊付けされて封止され、天面開口が各フラップ１６３、１６４を介して内蓋１６５、外蓋１６６により閉じられ、外蓋１６６が内蓋１６５に糊付けされて封止される。なお、この箱Ｃ２の組み立てとともに医薬品が箱Ｃ２内に収納される。この場合の手順は、既述のとおりである。かくして箱Ｃ２に医薬品、この場合、２００錠の錠剤が収納される。
このようにして箱Ｃ２は、開封に際して、天蓋１６の破断部Ｋ２１を引き剥がすことによって天蓋１６が開封されるようになっている。なお、天蓋１６の開封後は、箱Ｃ２の天面開口が各フラップ１６３、１６４、内蓋１６５、外蓋１６６により順次閉じられ、この状態が外蓋１６６の係止爪Ｋ３が内蓋１６５の切り込み部Ｋ４に挿通係止されることにより保持される。
【００３０】
そして、この箱Ｃ２が使用済みになったときは、第１の実施の形態と同様に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ２を扁平状に圧潰し又は折り畳むことができ、このようにしても、第１の実施の形態と同様の作用効果を奏する。
【００３１】
図１１に第３の実施の形態を示している。
なお、この解体機能付き包装用箱Ｃ３もまた、特に医薬品の包装に用いるもので、この場合、幅１４２ｍｍ、奥行き８２ｍｍ、高さ９８ｍｍの、１０００錠の錠剤を収納する大型の箱になっている。
【００３２】
図１１に示すように、この箱Ｃ３の場合、全体が、横に長い直方体状に構成され、背面板１１、正面板１３はそれぞれ、同じ大きさの横長の長方形で、左右の側面板１４、１２はそれぞれ、背面板１１、正面板１３よりも幅が狭い同じ大きさの縦長の長方形になっている。なお、この箱Ｃ３の場合、４側面板１１−１４は、左から順に左側面板１４、正面板１３、右側面板１２、背面板１１、接続片１１１になっており、接続片１１１が左側面板１４の内面で背面側の側縁部に糊を介して接続される。
これら４側面板１１−１４のうち、左右の各側面板１４、１２には、この箱Ｃ３に特有の解体機能部Ｄ１が付設される。この解体機能部Ｄ１については後述する。
【００３３】
底蓋１５は、４側面板１１−１４の各端縁部、この場合、左右の各側面板１４、１２の下端縁部から罫線を介して連接される左右の各フラップ１５３、１５４と、正面板１３の下端縁部から罫線を介して連接される外蓋１５６と、背面板１１の下端縁部から罫線を介して連接される内蓋１５５とからなる。この場合、左右の各フラップ１５３、１５４はそれぞれ、箱Ｃ３の底面開口（の左右両端）を部分的に被覆可能に全体が略Ｍ字形に形成されて先端縁が略Ｖ字形に形成される。内蓋１５５は箱Ｃ３の底面開口を略全体的に被覆可能に全体が略Ｔ字形に形成され、蓋幅が奥行き方向中間（この場合、中央）で小さくなっている。外蓋１５６は箱Ｃ３の底面開口の略全体を被覆可能に全体が略矩形状に形成される。
この底蓋１５には、この箱Ｃ３に特有の解体機能部Ｄ２、Ｄ３が付設される。この解体機能部Ｄ２、Ｄ３については後述する。
【００３４】
天蓋１６は、底蓋１５と若干異なり、４側面板１１−１４の各端縁部、この場合、左右の各側面板１４、１２の上端縁部から罫線を介して連接される左右の各フラップ１６３、１６４と、正面板１３の上端縁部から罫線を介して連接される外蓋１６６と、背面板１１の上端縁部から罫線を介して連接される内蓋１６５とからなる。この場合、左右のフラップ１６３、１６４はそれぞれ、箱Ｃ３の天面開口（の左右両端）を部分的に被覆可能に全体が略矩形状に形成される。内蓋１６５は箱Ｃ３の天面開口の略全体を被覆可能に全体が略台形に形成される。外蓋１６６は箱Ｃ３の天面開口の略全体を被覆可能に全体が略矩形状に形成される。また、この外蓋１６６には、回動側の縁部（先端縁）の中央部に両側（この場合、左右両側）に切り込み部Ｋ５を入れられて略横長の矩形状の開封用のつまみＫ５１が形成され、このつまみＫ５１の両側の切り込みＫ５の回動側の縁部から離れる端部に連続して外蓋１６６の幅方向両側部（この場合、左右両側部）で回動中心側の縁部（この場合、正面板１３側の縁部）に近接する所定の位置まで斜めに２本のジッパー状の切り込み部Ｋ６が形成される。また、この外蓋１６６には、つまみＫ５１の基部に回動中心側の縁部に向けて凸状の爪Ｋ５２が切り抜き形成される。そして、これに併せて、内蓋１６５のこの爪Ｋ５２の位置に対応する回動中心側の縁部（この場合、背面板１１側の縁部）の中央部に近接する位置に爪Ｋ５２が挿通係止可能に切り込み部Ｋ７が切り込み形成される。
この天蓋１６には、この箱Ｃ３に特有の解体機能部Ｄ２が付設される。この解体機能部Ｄ２については後述する。
【００３５】
この箱Ｃ３の場合、左右の各側面板１４、１２の解体機能部Ｄ１は各側面板１４、１２に第２の実施の形態と同様に付設される。
底蓋１５をなす左右の各フラップ１５３、１５４の解体機能部Ｄ２は各フラップ１５３、１５４に第２の実施の形態と同様に付設される。
底蓋１５をなす内蓋１５５は第１の実施の形態と同様に形成され、解体機能部の一つとなす。
底蓋１５をなす外蓋１５６の解体機能部Ｄ３は第１の実施の形態と同様に付設される。
天蓋１６をなす左右の各フラップ１６３、１６４の解体機能部Ｄ２は第２の実施の形態と同様に付設される。
なお、天蓋１６をなす内蓋１６５、外蓋１６６には解体機能部、つまり、罫線などは設けられていない。箱Ｃ３は天蓋１６の開封後に押し潰す又は折り畳まれるので、天蓋１６の場合、蓋１６５、１６６を折り曲げ案内する必要がない。
【００３６】
この包装用箱Ｃ３は４側面板１１−１４が第１の実施の形態のものと概ね同様に組み立てられ、底面開口は各フラップ１５３、１５４を介して内蓋１５５、外蓋１５６により閉じられ、外蓋１５６が内蓋１５５に糊付けされて封止され、天面開口は各フラップ１６３、１６４を介して内蓋１６５、外蓋１６６により閉じられ、外蓋１６６が内蓋１６５に糊付けされて封止される。
また、この箱Ｃ１の組み立てとともに医薬品が箱Ｃ３内に収納される。この場合の手順は、既述のとおりである。かくして箱Ｃ１に医薬品、この場合、１０００錠の錠剤が収納される。
このようにして箱Ｃ３は、開封に際して、外蓋１６６のつまみＫ５１を上方に引き上げて正面板１３に向けて引張ると、外蓋１６６の２方向の斜めの切り込み部Ｋ６がそれぞれ破断されて、天蓋１６が開封されるようになっている。なお、天蓋１６の開封後は、箱Ｃ３の天面開口が各フラップ１６３、１６４、内蓋１６５、外蓋１６６により順次閉じられ、この状態が外蓋１６６の爪Ｋ５２が内蓋１６５の切り込み部Ｋ７に挿通係止されることにより保持される。
【００３７】
そして、この箱Ｃ３が使用済みになったときは、第１の実施の形態と同様に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ３を扁平状に圧潰し又は折り畳むことができ、このようにしても、第１の実施の形態と同様の作用効果を奏する。
【００３８】
図１２、図１３、図１４に第４、第５、第６の実施の形態を示している。
なお、この解体機能付き包装用箱もまた、特に医薬品の包装に用いるものである。
【００３９】
図１２、図１３、図１４に示すように、これらの包装用箱Ｃ４、Ｃ５、Ｃ６はそれぞれ、全体が、縦に長い直方体状に構成され、背面板１１、正面板１３はそれぞれ、同じ大きさの縦長の長方形で、左右の側面板１４、１２はそれぞれ、背面板１１、正面板１３よりも幅が狭い同じ大きさの縦長の長方形になっている。なお、この箱Ｃ４、Ｃ５、Ｃ６の場合、４側面板１１−１４は、左から順に接続片１１１、背面板１１、左側面板１４、正面板１３、右側面板１２になっており、接続片１１１が右側面板１２内面の背面側の側縁部に糊を介して接続される。また、天蓋１６の差し込み片１６２、底蓋１５の差し込み片１５２が糊付けされる正面板１３の天面側及び底面側の端部にはそれぞれ、開封用の切り取り線Ｋ８、Ｋ９が形成される。この場合、開封用の切り取り線Ｋ８、Ｋ９は、正面板１３の天面側及び底面側の端部にそれぞれ端縁部から正面板１３の内方に向けて略台形の溝形にミシン目が付けられて形成される。
これら４側面板１１−１４のうち、左右の各側面板１４、１２には、この箱Ｃ４−Ｃ６に特有の解体機能部Ｄ１が付設される。この解体機能部Ｄ１については後述する。
【００４０】
底蓋１５は、４側面板１１−１４のうちの３側面板１４、１２、１１の各端縁部、この場合、左右の各側面板１４、１２の下端縁部から罫線を介して連接される左右のフラップ１５３、１５４と、背面板１１の下端縁部から罫線を介して連接される下端（先端）に差し込み片１５２を有する蓋１５１とからなる。この場合、左右の各フラップ１５３、１５４は、箱Ｃ４−Ｃ６の底面開口（の左右両端）を部分的に被覆可能に全体が略Ｍ字形に形成されて先端縁が略Ｖ字形に形成される。蓋１５１は箱Ｃ４−Ｃ６の底面開口の略全体を被覆可能に全体が略矩形状に形成され、差し込み片１５２が蓋１５１の先端に横長の略矩形状に左右両端を角丸にして形成される。
この底蓋１５には、この箱Ｃ４−Ｃ６に特有の解体機能部Ｄ２、Ｄ３が付設される。この解体機能部Ｄ２、Ｄ３については後述する。
【００４１】
天蓋１６は、底蓋１５と同様に、４側面板１１−１４のうちの３側面板１４、１２、１１の各端縁部、この場合、左右の各側面板１４、１２の上端縁部から罫線を介して連接される左右のフラップ１６３、１６４と、背面板１１の上端縁部から罫線を介して連接される上端（先端）に差し込み片１６２を有する蓋１６１とからなる。この場合、左右の各フラップ１６３、１６４は、箱Ｃ４−Ｃ６の天面開口（の左右両端）を部分的に被覆可能に全体が略Ｍ字形に形成されて先端縁が略Ｖ字形に形成される。蓋１６１は箱Ｃ４−Ｃ６の天面開口の略全体を被覆可能に全体が略矩形状に形成され、差し込み片１６２が蓋１６１の先端に横長の略矩形状に左右両端を角丸にして形成される。
この天蓋１６には、この箱Ｃ４−Ｃ６に特有の解体機能部Ｄ２、Ｄ３が付設される。この解体機能部Ｄ２、Ｄ３については後述する。
【００４２】
また、これらの箱Ｃ４−Ｃ６には、４側面板１１−１４を底蓋１５側と天蓋１６側に分割して開封可能に、４側面板１１−１４にこれら４側面板１１−１４の連接方向に沿って一周してミシン目２が水平方向に向けて付される。
この箱Ｃ４−Ｃ６の場合、ミシン目２は、４側面板１１−１４のうち１側面板１３（この場合、正面板１３）のミシン目２１が、１側面板１３を底蓋１５側と天蓋１６側に切り離し可能に、１側面板１３に、中間部を底蓋１５側又は天蓋１６側に凸の（この場合、底蓋１５側に凸の）略円弧状に、その両端側を水平方向に略直線状にして形成され、他の３側面板１４、１２、１１（この場合、左右の各側面板１４、１２、背面板１１）のミシン目２２、２３、２４が、他の３側面板１４、１２、１１をそれぞれ底蓋１５側と天蓋１６側に切り離し可能に、３側面板１４、１２、１１に、水平方向に向けて略波形形状に形成される。
この場合、ミシン目２の波形形状は、第４、第５の実施の形態では、図１２、図１３に示すように、例えば電気工学の分野で知られる所謂三角波形状に、第６の実施の形態では、図１４に示すように、例えば電気工学の分野で知られる所謂正弦波形状に、それぞれ形成される。
なお、第５、第６の各実施の形態では、４側面板１１−１４の１側面板１４（左側面板１４）のミシン目２の下の下半面にジッパー線又はミシン目で囲まれた部分がある。この部分は医薬品に関する各種の情報を表示する表示片３になっており、箱Ｃ５、Ｃ６から医薬品を取り出した後、この表示片３は箱Ｃ５、Ｃ６から切り取られ、医薬品の管理に使用される。
【００４３】
この箱Ｃ４−Ｃ６の場合、左右の各側面板１４、１２の解体機能部Ｄ１、左右の各フラップ１５３、１５４、１６３、１６４の解体機能部Ｄ２は、それぞれ、第１の実施の形態と同様に付設される。なお、この場合、天蓋１６をなす各フラップ１６３、１６４は、底蓋１５をなす左右の各フラップ１５３、１５４と同様に、全体が略Ｍ字形に形成されて先端縁が略Ｖ字形に形成されており、解体機能部Ｄ２、すなわち、切り込みｄ２が各フラップ１６３、１６４の各側面板１４、１２側の端部に近接する位置から略Ｖ字形の先端縁の中間凹部に向けてその凹部付近まで延びる。また、箱Ｃ５、Ｃ６の場合、１側面板（左側面板）１４に表示片３が切り取り可能に設けられているので、この側面板１４の上半面には比較的長い罫線ｄ１が付けられ、下半面には表示片３の下部に短い罫線ｄ１が底面側の端部まで付けられる。
また、第４、第６の実施の形態では、底蓋１５をなす蓋１５１、天蓋１６をなす蓋１６１の各解体機能部Ｄ３はこの蓋１５１、１６１の奥行き方向略中央の両端に直線的に延びる短い罫線ｄ１からなり、第５の実施の形態では、底蓋１５をなす蓋１５１、天蓋１６をなす蓋１６１の各解体機能部Ｄ３はこの蓋１５１、１６１の奥行き方向略中央の両端を除く中間部に直線的に延びる長い罫線ｄ１からなるものとした。なお、ここでは、罫線ｄ１としたが、切り込みｄ２又は罫線ｄ１と切り込みｄ２との組み合わせであってもよい。
【００４４】
これらの箱Ｃ４−Ｃ６は４側面板１１−１４が第１の実施の形態のものと概ね同様に組み立てられ、底面開口が各フラップ１５３、１５４を介して蓋１５１により閉じられ、蓋１５１先端の差し込み片１５２が正面板１３内面の底面側の端部に糊付けされて封止され、同様に、天面開口が各フラップ１６３、１６４を介して蓋１６１により閉じられ、蓋１６１先端の差し込み片１６２が正面板１３内面の天面側の端部に糊付けされて封止される。なお、蓋は糊付けに代えて封緘テープで封止されることもある。
また、これらの箱Ｃ４−Ｃ６の組み立てとともに医薬品が箱Ｃ４−Ｃ６内に収納される。この場合の手順は、既述のとおりである。かくして箱Ｃ４−Ｃ６に医薬品が収納される。
このようにして箱Ｃ４−Ｃ６は、開封に際して、箱Ｃ４−Ｃ６の正面板１３の天面側又は底面側の開封用の切り取り線Ｋ８又はＫ９内を指で押し破り、そのまま天蓋１６又は底蓋１５の蓋１６１又は蓋１５１を引き上げることにより、箱Ｃ４−Ｃ６の天面又は底面の開口が開き、開封されるようになっている。なお、天蓋１６又は底蓋１５の開封後は、箱Ｃ４−Ｃ６の天面又は底面の開口が左右の各フラップ１６３、１６４又は１５３、１５４を介して蓋１６１又は１５１で閉じられ、この状態が蓋１６１又は１５１先端の差し込み片１６２又は１５２が正面板１３内面の天面側の端部又は底面側の端部に差し込み係止されることにより保持される。
また、この箱Ｃ４−Ｃ６の場合、１側面板１３の円弧状のミシン目２１の凸側の縁部２３１を指で少し押しながら、４側面板１１−１４をミシン目２に沿って底蓋１５側と天蓋１６側に割って分割し開封するようにしたので、箱Ｃ４−Ｃ６の４側面板１１−１４を恰も卵を割る動作で簡単に割ることができ、箱Ｃ４−Ｃ６の開封を容易にすることができる。
【００４５】
そして、この箱Ｃ４−Ｃ６が使用済みになったときは、箱Ｃ４−Ｃ６を天蓋１６側と底蓋１５側に２分割せずに使用済みになった場合でも、箱Ｃ４−Ｃ６を天蓋１６側と底蓋１５側に２分割して使用済みになった場合でも、第１の実施の形態と同様に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ４−Ｃ６を扁平状に圧潰し又は折り畳むことができ、このようにしても、第１の実施の形態と同様の作用効果を奏する。
【００４６】
図１５に第７の実施の形態を示している。
なお、この解体機能付き包装用箱Ｃ７もまた、特に医薬品の包装に用いるものである。
【００４７】
図１５に示すように、この包装用箱Ｃ７は４側面板１１−１４が第４の実施の形態のものと共通で、底蓋１５、天蓋１６が内蓋１５５、１６５と外蓋１５６、１６６とを備える点で、第４の実施の形態のものと異なる。ここでは、第４の実施の形態のものと異なる点についてのみ、説明を補足する。
底蓋１５をなす内蓋１５５は正面板１３の下端縁部に罫線を介して底面開口の略全体近くを被覆可能に全体が略Ｔ字形に形成され、後述する外蓋１５６の解体機能部Ｄ３の位置に対応する位置で蓋幅が小さくなっている。そして、この内蓋１５５の略Ｔ字形の蓋幅が広い部分と狭い部分との間に解体機能部Ｄ３として罫線ｄ１が付けられる。なお、ここでは、罫線ｄ１としたが、切り込みｄ２又は罫線ｄ１と切り込みｄ２との組み合わせであってもよい。
底蓋１５をなす外蓋１５６は背面板１１の下端縁部に罫線を介して底面開口の略全体を被覆可能に全体が略台形に形成され、解体機能部Ｄ３はこの蓋１５６の奥行き方向略中央の両端に直線的に延びる短い罫線ｄ１からなる。なお、ここでは、罫線ｄ１としたが、切り込みｄ２又は罫線ｄ１と切り込みｄ２との組み合わせであってもよい。
同様に、天蓋１６をなす内蓋１６５は正面板１３の上端縁部に罫線を介して天面開口の略全体近くを被覆可能に全体が略Ｔ字形に形成され、後述する外蓋１６６の解体機能部Ｄ３の位置に対応する位置で蓋幅が小さくなっている。そして、この内蓋１６５の略Ｔ字形の蓋幅が広い部分と狭い部分との間に解体機能部Ｄ３として罫線ｄ１が付けられる。なお、ここでは、罫線ｄ１としたが、切り込みｄ２又は罫線ｄ１と切り込みｄ２との組み合わせであってもよい。
天蓋をなす外蓋１６６は背面板１１の上端縁部に罫線を介して天面開口の略全体を被覆可能に全体が略台形に形成され、解体機能部Ｄ３はこの蓋１６６の奥行き方向略中央の両端に直線的に延びる短い罫線ｄ１からなる。なお、ここでは、罫線ｄ１としたが、切り込みｄ２又は罫線ｄ１と切り込みｄ２との組み合わせであってもよい。
なお、この箱Ｃ７の場合、開封用の切り取り線Ｋ８、Ｋ９が正面板１３の上端縁部、下端縁部の両側に延びている。
【００４８】
この包装用箱Ｃ７は４側面板１１−１４が第１の実施の形態のものと概ね同様に組み立てられ、底面開口が各フラップ１５３、１５４を介して内蓋１５５、外蓋１５６により閉じられ、外蓋１５６が内蓋１５５に糊付けされて封止され、天面開口が各フラップ１６３、１６４を介して内蓋１６５、外蓋１６６により閉じられ、外蓋１６６が内蓋１６５に糊付けされて封止される。
また、これらの箱Ｃ７の組み立てとともに医薬品が箱Ｃ７内に収納される。この場合の手順は、既述のとおりである。かくして箱Ｃ７に医薬品が収納される。
このようにして箱Ｃ７は、開封に際して、箱Ｃ７の正面板１３の天面側又は底面側の開封用の切り取り線Ｋ８又はＫ９内を指で押し破り、そのまま天蓋１６又は底蓋１５の蓋１６５、１６６又は１５５、１５６を引き上げることにより、箱Ｃ７の天面又は底面の開口が開き、開封されるようになっている。なお、天蓋１６又は底蓋１５の開封後は、箱Ｃ７の天面又は底面の開口が左右の各フラップ１６３，１６４又は１５３，１５４、蓋１６５、１６６又は１５５、１５６により閉じられる。
また、この箱Ｃ７の場合、１側面板１３の円弧状のミシン目２１の凸側の縁部２３１を指で少し押しながら、４側面板１１−１４をミシン目２に沿って底蓋１５側と天蓋１６側に割って分割し開封するようにしたので、箱Ｃ７の４側面板１１−１４を恰も卵を割る動作で簡単に割ることができ、箱Ｃ７の開封を容易にすることもできる。
【００４９】
そして、この箱Ｃ７が使用済みになったときは、第１の実施の形態と同様に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ７を扁平状に圧潰し又は折り畳むことができ、このようにしても、第１の実施の形態と同様の作用効果を奏する。
【００５０】
なお、上記各実施の形態では、左右の各側面板１４、１２に、解体機能部Ｄ１が直線的に設けられているが、図１６に示すように（第８の実施の形態として）、この解体機能部Ｄ１は罫線ｄ１又は切り込みｄ２又はこれらの組み合わせが、各側面板１４、１２の各フラップ１５３，１６３、１５４，１６４側の各端部で、略Ｖ字形に延びるようにしてもよい。この場合、この解体用機能部Ｄ１は、全体として、各側面板１４、１２の各フラップ１５３，１６３、１５４，１６４側の各端部側で、略Ｙ字形をなす。
このようにすると、第１の実施の形態と同様に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、左右の各側面板１４、１２を解体機能部Ｄ１の案内により外側に突出させて、箱Ｃ８を扁平状に圧潰し又は折り畳むことができ、また、左右の各側面板１４、１２を解体機能部Ｄ１の案内により内側に押し込みながら、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ８を扁平状に圧潰し又は折り畳むこともできる。
このようにしても、第１の実施の形態と同様の作用効果を奏することができる。
【００５１】
図１７、図１８に第９の実施の形態を示している。図１７は解体機能付き包装用箱の全体構成を示す斜視図であり、図１８は解体機能付き包装用箱の展開図である。
なお、この解体機能付き包装用箱Ｃ９は、特に医薬品の包装に用いるもので、この場合、幅５２ｍｍ、奥行き３７ｍｍ、高さ１１６ｍｍの、錠剤を収納する小型の箱になっている。
【００５２】
図１７、図１８に示すように、解体機能付き包装用箱Ｃ９（以下、包装用箱Ｃ９又は箱Ｃ９という場合がある。）は、所謂板紙と呼ばれる比較的厚さがあり直立性のある紙材により形成され、箱Ｃ９の正面、背面及び左右両側面をなす４側面板１１−１４と、箱Ｃ９の底面をなす底蓋１５と、箱Ｃ９の天面をなす天蓋１６とにより構成され、底蓋１５、天蓋１６はそれぞれ、４側面板１１−１４のうち相互に対向する２側面板１４、１２の両端縁部に罫線Ｌ９，Ｌ１２、Ｌ１０，Ｌ１３を介して連接される一対のフラップ１５３，１５４、１６３，１６４、及び２側面板１４、１２に隣接する両方又は一方の側面板１１、１３又は１１の両端縁部に罫線Ｌ５，Ｌ１１、Ｌ７，Ｌ６を介して連接される蓋１５６，１５５、１６６，１６５又は１５６，１５５、１６１（図２参照）を有し、箱Ｃ９の底面開口、天面開口がそれぞれ底蓋１５、天蓋１６により閉じられる。
【００５３】
この箱Ｃ９の場合、全体が、縦に長い直方体状に構成され、背面板１１、正面板１３はそれぞれ、同じ大きさの縦長の長方形で、左右の側面板１４、１２はそれぞれ、背面板１１、正面板１３よりも幅が少し狭い同じ大きさの縦長の長方形になっている。なお、この箱Ｃ９の場合、４側面板１１−１４は、左から順に接続片１１１、背面板１１、左側面板１４、正面板１３、右側面板１２になっており、接続片１１１が右側面板１２の内面で背面側の側縁部に糊を介して接続される。
これら４側面板１１−１４のうち、左右の各側面板１４、１２には、この箱Ｃ９に特有の解体機能部Ｄ１が付設される。この解体機能部Ｄ１については後述する。
【００５４】
底蓋１５は、４側面板１１−１４の下端縁部、この場合、左右の各側面板１４、１２の下端縁部から罫線Ｌ９、Ｌ１２（なお、罫線Ｌ９、Ｌ１２はミシン目線でもよい。）を介して連接される左右一対のフラップ１５３、１５４と、正面板１３の下端縁部から罫線Ｌ１１を介して連接される内蓋１５５と、背面板１１の下端縁部から罫線Ｌ５を介して連接される外蓋１５６とからなる。
この場合、左右一対のフラップ１５３、１５４はそれぞれ、箱Ｃ９の底面開口（の左右両端）を部分的に被覆可能に全体が略台形に突出形成されて先端縁の幅方向中間、ここでは中央に略Ｖ字形の溝１５７が形成される。
内蓋１５５は正面板１３の下端縁部に罫線Ｌ１１を介して箱Ｃ９の底面開口の略全体近くを被覆可能に全体が略Ｔ字形に突出形成されて、後述する外蓋１５６の解体機能部Ｄ３の位置に対応する位置で蓋幅が小さくなっている。
外蓋１５６は背面板１１の下端縁部に罫線Ｌ５を介して箱Ｃ９の底面開口の略全体を被覆可能に全体が略台形に突出形成される。
このようにして箱Ｃ９の底面開口は各フラップ１５３、１５４、及び内蓋１５５、外蓋１５６により順次閉じられ、外蓋１５６が内蓋１５５に糊付けされて封止される。
この底蓋１５には、この箱Ｃ９に特有の解体機能部Ｄ２、Ｄ３、Ｄ４が付設される。この解体機能部Ｄ２、Ｄ３、Ｄ４については後述する。
【００５５】
天蓋１６は、底蓋１５と同様に、４側面板１１−１４の上端縁部、この場合、左右の各側面板１４、１２の上端縁部から罫線Ｌ１０、Ｌ１３（なお、罫線Ｌ１０、Ｌ１３はミシン目線でもよい。）を介して連接される左右一対のフラップ１６３、１６４と、正面板１３の上端縁部から罫線Ｌ６を介して連接される内蓋１６５と、背面板１１の上端縁部から罫線Ｌ７を介して連接される外蓋１６６とからなる。
この場合、左右一対のフラップ１６３、１６４はそれぞれ、箱Ｃ９の天面開口（の左右両端）を部分的に被覆可能に全体が略台形に突出形成されて先端縁の幅方向中間、ここでは中央に略Ｖ字形の溝１５７が形成される。
内蓋１６５は正面板１３の上端縁部に罫線Ｌ６を介して箱Ｃ９の底面開口の略全体近くを被覆可能に全体が略Ｔ字形に突出形成されて、後述する外蓋１６６の解体機能部Ｄ３の位置に対応する位置で蓋幅が小さくなっている。
外蓋１６６は背面板１１の上端縁部に罫線Ｌ７を介して箱Ｃ９の底面開口の略全体を被覆可能に全体が略台形に突出形成される。
このようにして箱Ｃ９の天面開口は各フラップ１６３、１６４、及び内蓋１６５、外蓋１６６により順次閉じられ、外蓋１６６が内蓋１６５に糊付けされて封止される。
この天蓋１６には、この箱Ｃ９に特有の解体機能部Ｄ２、Ｄ３、Ｄ４が付設される。この解体機能部Ｄ２、Ｄ３、Ｄ４については後述する。
【００５６】
なお、この箱Ｃ９の正面板１３の天面側及び底面側の端部にはそれぞれ、開封用の切り取り線Ｋ１、Ｋ２が形成される。この場合、天面側の開封用の切り取り線Ｋ１は、正面板１３の天面側の端縁部中央にこの端縁部から底面側に向けて略台形の溝形にかつこの溝形の両端からこの端縁部上を左右両側方に向けて左端、右端までミシン目線が付けられて形成され、底面側の開封用の切り取り線Ｋ２は、正面板１３の底面側の端縁部中央にこの端縁部から天面側に向けて略台形の溝形にかつこの溝形の両端からこの端縁部上を左右両側方に向けて左端、右端までミシン目線が付けられて形成される。
【００５７】
この包装用箱Ｃ９は、底面開口が各フラップ１５３、１５４を介して内蓋１５５、外蓋１５６により閉じられ、外蓋１５６が内蓋１５５に糊付けされて封止され、天面開口が各フラップ１６３、１６４を介して内蓋１６５、外蓋１６６により閉じられ、外蓋１６６が内蓋１６５に糊付けされて封止される。なお、外蓋１６６は糊付けに代えて封緘テープで封止されることもある。このようにして天蓋１６又は底蓋１５が正面板１３の天面側又は底面側の端部に形成された開封用の切り取り線Ｋ１、Ｋ２に沿って切り離されることによって天蓋１６又は底蓋１５が開封されるようになっている。
【００５８】
そして、この包装用箱Ｃ９では、特に、底面側、天面側の各フラップ１５３，１６３、１５４，１６４を連接される左右の各側面板１４、１２の幅方向中間に、各フラップ１５３，１６３、１５４，１６４及び各側面板１４、１２の連接方向に向けて直線的に延びる罫線ｄ１又は切り込みｄ２又はこれらの組み合わせからなり、各フラップ１５３，１６３、１５４，１６４を連接される各側面板１４、１２を折り曲げ案内して箱Ｃ９全体を扁平状に折り畳み可能な解体機能部Ｄ１を、底面側、天面側の各フラップ１５３，１６３、１５４，１６４の幅方向中間で各側面板１４、１２の解体機能部Ｄ１に対応する位置に直線的に延びる罫線ｄ１又は切り込みｄ２又はこれらの組み合わせからなり、各フラップ１５３，１６３、１５４，１６４を折り曲げ案内可能な解体機能部Ｄ２を、それぞれ備える。さらに、この箱Ｃ９の場合、各フラップ１５３，１６３、１５４，１６４を連接される各側面板１４、１２に隣接する一方の側面板１３に連接される内蓋１５５、１６５の奥行き方向中間部で各側面板１４、１２の解体機能部Ｄ１に対応する位置、言い換えれば、各フラップ１５３，１５４、１６３，１６４の解体機能部Ｄ２に重なる位置に直線的に延びる罫線ｄ１又は切り込みｄ２又はこれらの組み合わせからなる解体機能部Ｄ３を、各フラップ１５３，１６３、１５４，１６４を連接される各側面板１４、１２に隣接する他方の側面板１１に連接される外蓋１５６、１６６の奥行き方向中間部で各側面板１４、１２の解体機能部Ｄ１に対応する位置、言い換えれば、各フラップ１５３，１５４、１６３，１６４の解体機能部Ｄ２に重なる位置に直線的に延びる罫線ｄ１又は切り込みｄ２又はこれらの組み合わせからなる解体機能部Ｄ３を、それぞれ、併せて備える。
【００５９】
この場合、左右の各側面板１４、１２の解体機能部Ｄ１は、各側面板１４、１２の幅方向略中央に各フラップ１５３，１６３、１５４，１６４及び各側面板１４、１２の連接方向に向けて直線的に延びる罫線ｄ１からなる。これらの解体機能部Ｄ１は各フラップ１５３，１６３、１５４，１６４側の端部が各側面板１４、１２の端縁部に近接する位置まで延びる。この場合、罫線ｄ１は押罫により折り溝が側面板１４、１２の外面側から内面側に向けて付けられて形成される。また、この場合、罫線ｄ１は断続的に形成され、各側面板１４、１２の天面側の端部で天面側の端縁部付近から底面側の端縁部に向けて延びる罫線ｄ１と、各側面板１４、１２の底面側で底面側の端縁部付近から天面側の端縁部に向けて延びる罫線ｄ１とからなる。これら罫線ｄ１、ｄ１間に罫線はない。なお、ここでは、罫線ｄ１としたが、切り込みｄ２又は罫線ｄ１と切り込みｄ２との組み合わせであってもよい。
【００６０】
この場合、底蓋１５をなす左右の各フラップ１５３、１５４の解体機能部Ｄ２は、各フラップ１５３、１５４の幅方向略中央に各フラップ１５３、１５４及び各側面板１４、１２の連接方向に向けて直線的に延びる切り込みｄ２からなる。また、この場合、各フラップ１５３、１５４の切り込みｄ２は各フラップ１５３、１５４の各側面板１４、１２側の端部に近接する位置から先端縁中央の略Ｖ字形の溝１５７に向けてその溝１５７付近まで延びる。なお、ここでは、切り込みｄ２としたが、罫線ｄ１又は罫線ｄ１と切り込みｄ２との組み合わせであってもよい。
【００６１】
この場合、底蓋１５をなす内蓋１５５は、既述のとおり、全体が略Ｔ字形に形成されて、外蓋１５６の解体機能部Ｄ３の位置に対応する位置で蓋幅を小さくしたことで、この内蓋１６５が蓋幅の広い部分と狭い部分との間で折り曲げやすくなり、この蓋幅の広い部分と狭い部分の境界が内蓋１５５を折り曲げ案内可能な、罫線ｄ１又は切り込みｄ２又はこれらの組み合わせからなる解体機能部Ｄ１−Ｄ３とは異質の解体機能部Ｄ４になっている。そして、この内蓋１６５では、蓋幅の広い部分と狭い部分との間（境界）にさらに解体機能部Ｄ３として罫線ｄ１が付けられる。この場合、罫線ｄ１は押罫により折り溝が内蓋１６５の外面側から内面側に向けて付けられて形成される。なお、ここでは、罫線ｄ１としたが、切り込みｄ２又は罫線ｄ１と切り込みｄ２との組み合わせであってもよい。また、この内蓋１５５の場合、解体機能部Ｄ４があれば、罫線ｄ１又は切り込みｄ２又はこれらの組み合わせからなる解体機能部Ｄ３はなくてもよい。
【００６２】
この場合、底蓋１５をなす外蓋１５６の解体機能部Ｄ３はこの蓋１５６の奥行き方向略中央の両端に分割して直線的に延びる短い切り込みｄ２からなる。なお、ここでは、切り込みｄ２としたが、罫線ｄ１又は罫線ｄ１と切り込みｄ２との組み合わせであってもよい。
【００６３】
この場合、天蓋１６をなす左右の各フラップ１６３、１６４の解体機能部Ｄ２は、各フラップ１６３、１６４の幅方向略中央に各フラップ１６３、１６４及び各側面板１４、１２の連接方向に向けて直線的に延びる切り込みｄ２からなる。この場合、各フラップ１６３、１６４の切り込みｄ２は各フラップ１６３、１６４の各側面板１４、１２側の端部に近接する位置から先端縁中央の略Ｖ字形の溝１５７に向けてその溝１５７付近まで延びる。なお、ここでは、切り込みｄ２としたが、罫線ｄ１又は罫線ｄ１と切り込みｄ２との組み合わせであってもよい。
【００６４】
この場合、天蓋１６をなす内蓋１６５は、既述のとおり、全体が略Ｔ字形に形成されて、外蓋１６６の解体機能部Ｄ３の位置に対応する位置で蓋幅を小さくしたことで、この内蓋１６５が蓋幅の広い部分と狭い部分との間で折り曲げやすくなり、この蓋幅の広い部分と狭い部分の境界が内蓋１６５を折り曲げ案内可能な、罫線ｄ１又は切り込みｄ２又はこれらの組み合わせからなる解体機能部Ｄ１−Ｄ３とは異質の解体機能部Ｄ４になっている。そして、この内蓋１６５では、蓋幅の広い部分と狭い部分との間（境界）にさらに解体機能部Ｄ３として罫線ｄ１が付けられる。この場合、罫線ｄ１は押罫により折り溝が内蓋１６５の外面側から内面側に向けて付けられて形成される。なお、ここでは、罫線ｄ１としたが、切り込みｄ２又は罫線ｄ１と切り込みｄ２との組み合わせであってもよい。また、この内蓋１６５の場合、解体機能部Ｄ４があれば、罫線ｄ１又は切り込みｄ２又はこれらの組み合わせからなる解体機能部Ｄ３はなくてもよい。
【００６５】
この場合、天蓋１６をなす外蓋１６６の解体機能部Ｄ３はこの外蓋１６６の奥行き方向略中央の両端に分割して直線的に延びる短い切り込みｄ２からなる。なお、ここでは、切り込みｄ２としたが、罫線ｄ１又は罫線ｄ１と切り込みｄ２との組み合わせであってもよい。
【００６６】
このようにしてこの箱Ｃ９は解体機能部Ｄ１を有する各側面板１４、１２に隣接する一方の側面板１３又は１１を他方の側面板１１又は１３に向けて圧することにより、つまり、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ１が扁平状に圧潰し又は折り畳まれるようになっている。
【００６７】
なお、この箱Ｃ９は、全体が一枚のブランクシートから一体的に打ち抜かれて形成される一枚の紙基材Ｐ９からなる。
この紙基材Ｐ９は、展開した状態において、組み立て時に箱Ｃ９の背面板１１をなす背面板部Ｐ１１と、背面板部Ｐ１１の左側縁部に罫線Ｌ４を介して連続して設けられ、組み立て時に箱Ｃ９の右側面板１２の内面に固定される接続片１１１をなす接続片部Ｐ１１１と、背面板部Ｐ１１の右側縁部に罫線Ｌ１を介して連続して設けられ、組み立て時に箱Ｃ９の左側面板１４をなす左側面板部Ｐ１４と、左側面板部Ｐ１４の右側縁部に罫線Ｌ２を介して連続して設けられ、組み立て時に箱Ｃ９の正面板１３をなす正面板部Ｐ１３と、正面板部Ｐ１３の右側縁部に罫線Ｌ３を介して連続して設けられ、組み立て時に箱Ｃ９の右側面板１２をなす右側面板部Ｐ１２と、背面板部Ｐ１１の下端縁部に罫線Ｌ５を介して連続して設けられ、組み立て時に底蓋１５の外蓋１５６をなす外蓋部Ｐ１５６と、背面板部Ｐ１１の上端縁部に罫線Ｌ７を介して連続して設けられ、組み立て時に天蓋１６の外蓋１６６をなす外蓋部Ｐ１６６と、左側面板部Ｐ１４の下端縁部に罫線Ｌ９を介して連続して設けられ、組み立て時に底蓋１５の左のフラップ１５３をなす左のフラップ部Ｐ１５３と、左側面板部Ｐ１４の上端縁部に罫線Ｌ１０を介して連続して設けられ、組み立て時に天蓋１６の左のフラップ１６３をなす左のフラップ部Ｐ１６３と、正面板部Ｐ１３の下端縁部に罫線Ｌ１１を介して連続して設けられ、組み立て時に底蓋１５の内蓋１５５をなす内蓋部Ｐ１５５と、正面板部Ｐ１３の上端縁部に罫線Ｌ６を介して連続して設けられ、組み立て時に天蓋１６の内蓋１６５をなす内蓋部Ｐ１６５と、右側面板部Ｐ１２の下端縁部に罫線Ｌ１２を介して連続して設けられ、組み立て時に底蓋１５の右のフラップ１５４をなす右のフラップ部Ｐ１５４と、右側面板部Ｐ１２の上端縁部に罫線Ｌ１３を介して連続して設けられ、組み立て時に天蓋１６の右のフラップ１６４をなす右のフラップ部Ｐ１６４と、を備える。この紙基材Ｐ９の各部の大きさや形状、開封用の切り取り線Ｋ１、Ｋ２の位置と形状、解体機能部Ｄ１−Ｄ４の位置と形状などは既述のとおりである。
紙基材Ｐ９はかかる構成からなり、この紙基材Ｐ９から、背面板部Ｐ１１の左側部に設けられた接続片部Ｐ１１１が右側面板部Ｐ１２内面の背面側の側縁部に糊を介して結合され、底面開口は左右の各フラップ部Ｐ１５３、Ｐ１５４を介して内蓋部Ｐ１５５、外蓋部Ｐ１５６により閉じられ、外蓋部１５６が内蓋１５５に糊付けされて封止され、天面開口は左右の各フラップ部Ｐ１６３、Ｐ１６４を介して内蓋部Ｐ１６５、外蓋部Ｐ１６６により閉じられ、外蓋部１６６が内蓋１６５に糊付けされて封止されて又は外蓋部Ｐ１６１と正面板部Ｐ１３との間に封緘テープを貼着されて封止され、箱Ｃ９が組み立てられる。
また、この箱Ｃ９の組み立てとともに医薬品が箱Ｃ９内に収納される。この場合の手順はさまざまで、箱Ｃ９の４側面１１−１４が組み立て結合された後、箱Ｃ９の天面開口又は底面開口から医薬品が箱Ｃ９内に収納されてから、天面、底面双方の開口が略同時に封止される場合、箱Ｃ９の４側面が組み立て結合され、天面又は底面の一方が先に封止されてから、医薬品が箱Ｃ９内に収納された後、他方が封止される場合など、機械包装か手包装かなどによって異なる。このようにして箱Ｃ９に医薬品、この場合、錠剤が収納される。
【００６８】
医薬品を使用する際は、天蓋１６又は底蓋１５を切り開いて開封し、箱Ｃ９の中から医薬品を取り出す。この場合、図１９に示すように、箱Ｃ９の正面板１３上部又は下部の開封用の切り取り線Ｋ１又はＫ２内を指で押し破り、そのまま天蓋１６又は底蓋１５を引き上げれば、箱Ｃ９の天面開口又は底面開口が開き、開封される。これにより、天面開口又は底面開口から医薬品を取り出すことができる。
そして、箱Ｃ９の中の医薬品をすべて取り出し、使用済みになった箱Ｃ９は、箱Ｃ９の各部に付設された解体機能部Ｄ１−Ｄ４により、箱Ｃ９全体が扁平に潰されて又は折り畳まれて廃棄されることになる。
【００６９】
図２０、図２１にこの箱Ｃ９の解体機能部Ｄ１−Ｄ４の使用例を示している。なお、この場合、箱Ｃ９は、天蓋１６を切り開いて開封された場合である。
まず、使用済みになった箱Ｃ９を、正面板１３（又は背面板１１）を上に向けて、机やテーブルあるいは台の上など平らな所に置く。そして、図２０に示すように、正面板１３から背面板１１に向けて（又はその反対に）各板１３、１１全体に軽く打撃を加える（つまり、軽く叩く）と、図２１に示すように、左右の各側面板１４、１２が底蓋１５（内蓋１５５、外蓋１５６）とともに、解体機能部Ｄ１（罫線ｄ１）、解体機能部Ｄ２（切り込みｄ２）、解体機能部Ｄ３（切り込みｄ２）、解体機能部Ｄ４を突出端として略扁平状になって外側に突き出される。また、このとき、底蓋１５をなす各フラップ１５３、１５４は、その先端縁の略Ｖ字形の溝１５７により、相互に糊付けされて接合された内蓋１５５と外蓋１５６の内側から外側に向けて抜けやすくなり、これら底面側の各フラップ１５３，１５４もまた解体機能部Ｄ２（切り込みｄ２）を突出端として略扁平状になって底蓋１５の内側から外側に飛び出し、全体が略扁平状に圧潰される。なお、箱Ｃ９の紙材のクセによって、底蓋１５の各フラップ１５３、１５４が、箱Ｃ９の中に折り込まれる場合もある。
また、箱Ｃ９の正面板１３又は背面板１１を叩くことに代えて、箱Ｃ９の正面板１３と背面板１１の左右両側縁部間を押し合わせるようにして圧を加えてもよく、このようにしても、上記と同様に、箱Ｃ９全体を略扁平状に折り畳むことができる。
また、この場合、左右の各側面板１４、１２及び底面側、天面側の各フラップ１５３，１５４、１６３，１６４をそれぞれ、罫線ｄ１、切り込みｄ２に沿って内側に押し込みながら箱Ｃ１の正面板１３と背面板１１の左右両側縁部間を押し合わせると、左右の各側面板１４、１２及びその上下の各フラップ１６３，１５３、１６４，１５４がそれぞれ正面板１３と背面板１１との間に折り込まれて正面板１３と背面板１１とを合せて扁平状に折り畳み、さらに天蓋１６又は底蓋１５を正面板１３側又は背面板１１側に折り返して折り畳むこともできる。
これにより、使用済みの箱Ｃ９を扁平状に小さくして廃棄することができる。
【００７０】
以上説明したように、この解体機能付き包装用箱Ｃ９によれば、各フラップ１５３，１６３、１５４，１６４を連接される各側面板１４、１２の幅方向中間（この場合、中央）に、各フラップ１５３，１６３、１５４，１６４及び各側面板１４、１２の連接方向に向けて直線的に延びる罫線ｄ１又は切り込みｄ２又はこれらの組み合わせからなり、各フラップ１５３，１６３、１５４，１６４を連接される各側面板１４、１２を折り曲げ案内して箱Ｃ９全体を扁平状に折り畳み可能な解体機能部Ｄ１を、各フラップ１５３，１６３、１５４，１６４の幅方向中間（この場合、略中央）に、各側面板１４、１２の解体機能部Ｄ１に対応して直線的に延びる罫線ｄ１又は切り込みｄ２又はこれらの組み合わせからなり、各フラップ１５３，１６３、１５４，１６４を折り曲げ案内可能な解体機能部Ｄ２を、それぞれ備え、各フラップ１５３，１６３、１５４，１６４の先端縁の幅方向中間（この場合、略中央）に略Ｖ字形の溝１５７を形成されて、各フラップ１５３，１６３、１５４，１６４の解体機能部Ｄ２が略Ｖ字形の溝１５７に向けて延び、各フラップ１５３，１６３、１５４，１６４を連接される各側面板１４、１２に隣接する一方の側面板１３又１１から他方の側面板１１又は１３に向けて圧することにより、箱Ｃ９が扁平状に圧潰し又は折り畳まれるようにしたので、使用済みになった箱Ｃ９を簡単かつ迅速に扁平状に押し潰し又は折り畳むことができる。この箱Ｃ９の場合、特に、各フラップ１５３，１６３、１５４，１６４の先端縁の幅方向中間に略Ｖ字形の溝１５７が形成されて、各フラップ１５３，１６３、１５４，１６４の解体機能部Ｄ２が略Ｖ字形の溝１５７に向けて延びるようにしたことで、正面板１３又は背面板１１の加圧により、各フラップ１５３，１５４、１６３，１６４が内蓋１５５，１６５、外蓋１５６，１６６の内側から外側に飛び出しやすくなって、各フラップ１５３，１５４、１６３，１６４をさらに簡単に扁平状に押し潰し又は折り畳むことができる。
これにより、医療従事者による使用済みの箱Ｃ９の廃棄の作業効率を著しく高めることができる。
【００７１】
さらに、この包装用箱Ｃ９では、各フラップ１５３，１５４、１６３，１６４を連接される各側面板１４、１２（この場合、左右の側面板１４、１２）に隣接する両方の側面板１３、１１（この場合、正面板１３、背面板１１）に蓋１５５，１６５、１５６，１６６（この場合、内蓋１５５，１６５、外蓋１５６，１６６）が連接され、一方の蓋１５６，１６６（この場合、外蓋１５６，１６６）は奥行き方向中間部に、各側面板１４、１２の解体機能部Ｄ１に対応して、すなわち、各フラップ１５３，１５４、１６３，１６４の解体機能部Ｄ２に重なる位置に直線的に延びる罫線ｄ１又は切り込みｄ２又はこれらの組み合わせ（この場合、切り込みｄ２）からなり、一方の蓋１５６，１６６（この場合、外蓋１５６，１６６）を折り曲げ案内な解体機能部Ｄ３を併せて備え、他方の蓋１５５，１６５（この場合、内蓋１５５，１６５）は略Ｔ字形に形成されて、一方の蓋１５６，１６６（この場合、外蓋１５６，１６６）の解体機能部Ｄ３の位置に対応する位置で蓋幅を小さくし、他方の蓋１５５，１６５（この場合、内蓋１５５，１６５）を折り曲げ案内可能な解体機能部Ｄ４を備え、またさらに、この他方の蓋１５５，１６５（この場合、内蓋１５５，１６５）の蓋幅の広い部分と狭い部分との間（境界）に直線的に延びる罫線ｄ１又は切り込みｄ２又はこれらの組み合わせ（この場合、罫線ｄ１）からなり、他方の蓋１５５，１６５（この場合、内蓋１５５，１６５）を折り曲げ案内可能な解体機能部Ｄ３を併せて備えているので、これらの蓋１５５，１６５、１５６，１６６が共に折れ曲がりやすくなり、各側面板１４、１２の解体機能部Ｄ１と同様に作用して、使用済みになった箱Ｃ９を一層簡単に扁平状に押し潰し又は折り畳むことができる。
また、この場合、一方の蓋１５６，１６６（この場合、外蓋１５６，１６６）の解体機能部Ｄ１は当該蓋１５６，１６６（この場合、外蓋１５６，１６６）の奥行き方向中間部の両端に分割して短く形成されるので、この蓋１５６，１６６の表面に医薬品の各種情報を印刷により表示する場合に、解体機能部Ｄ３が邪魔になることがない。
【００７２】
なお、この箱Ｃ９において、底蓋１５、天蓋１６の両方又は一方に、図２に示すような先端に差し込み片付きの外蓋を有する場合でも、この外蓋に、上記と同様に、罫線ｄ１又は切り込みｄ２又はこれらの組み合わせからなり、外蓋を折り曲げ案内な解体機能部Ｄ３が設けられることで、上記と同様の作用効果を得ることができる。
【００７３】
続いて、図２２乃至図２８を用いて第１０乃至第１５の実施の形態について説明する。これらの解体機能付き包装用箱Ｃ１０−Ｃ１５もまた、特に医薬品の包装に用いるものである。なお、ここでは、第１０乃至第１５の各実施の形態を展開図のみで示している。
【００７４】
図２２に第１０の実施の形態を示している。
図２２に示すように、この包装用箱Ｃ１０は４側面板１１−１４、底蓋１５、天蓋１６が底蓋１５、天蓋１６の各内蓋１５５、１６５、各外蓋１５６、１６６の解体機能部Ｄ３、Ｄ４を含めて第９の実施の形態のものと共通である。ここでは、第９の実施の形態と共通の箇所には第９の実施の形態と同じ符号を付してその重複する説明を省略する。
【００７５】
この包装用箱Ｃ１０では、２側面板１４、１２、各フラップ１５３，１６３、１５４，１６４の各解体機能部Ｄ１、Ｄ２のみが第９の実施の形態のものと異なる。
この包装用箱Ｃ１０では、各フラップ１５３，１６３、１５４，１６４を連接される各側面板１４、１２、この場合、左右の側面板１４、１２の解体機能部Ｄ１はそれぞれ、左右の各側面板１４、１２の端縁部を跨いで延び、各フラップ１５３，１６３、１５４，１６４の解体機能部Ｄ２に連続する。すなわち、各側面板１４、１２の解体機能部Ｄ１と各フラップ１５３，１６３、１５４，１６４の解体機能部Ｄ２は一本の連続した直線状をなし、左右の各側面板１４、１２の端縁部に略直角に交差される。
【００７６】
この場合、左右の各側面板１４、１２の解体機能部Ｄ１は、各側面板１４、１２の幅方向略中央に各フラップ１５３，１６３、１５４，１６４及び各側面板１４、１２の連接方向に向けて直線的に延びる罫線ｄ１からなる。この場合、罫線ｄ１は押罫により折り溝が側面板１４、１２の外面側から内面側に向けて付けられて形成される。また、この場合、罫線ｄ１は各側面板１４、１２の天面側と底面側に分割して断続的に形成され、天面側で天面側の端縁部を跨いで延び、各フラップ１６３、１６４の解体機能部Ｄ２に連続する罫線ｄ１と、底面側で底面側の端縁部を跨いで延び、各フラップ１５３、１５４の解体機能部Ｄ２に連続する罫線ｄ１とからなる（これらの罫線ｄ１間に罫線はない）。なお、ここでは、罫線ｄ１としたが、切り込みｄ２又は罫線ｄ１と切り込みｄ２との組み合わせであってもよい。
【００７７】
底蓋１５をなす左右の各フラップ１５３、１５４の解体機能部Ｄ２は、各フラップ１５３、１５４の幅方向略中央に各フラップ１５３、１５４及び各側面板１４、１２の連接方向に向けて直線的に延びる罫線ｄ１からなり、この場合、各フラップ１５３、１５４の罫線ｄ１は左右の各側面板１４、１２の解体機能部Ｄ１の延長上に先端縁中央の略Ｖ字形の溝１５７に向けてその溝１５７付近まで延びる。なお、ここでは、罫線ｄ１としたが、切り込みｄ２又は罫線ｄ１と切り込みｄ２との組み合わせであってもよい。
【００７８】
天蓋１６をなす左右の各フラップ１６３、１６４の解体機能部Ｄ２は、各フラップ１６３、１６４の幅方向略中央に各フラップ１６３、１６４及び各側面板１４、１２の連接方向に向けて直線的に延びる罫線ｄ１からなり、この場合、各フラップ１６３、１６４の罫線ｄ１は左右の各側面板１４、１２の解体機能部Ｄ１の延長上に先端縁中央の略Ｖ字形の溝１５７に向けてその溝１５７付近まで延びる。なお、ここでは、罫線ｄ１としたが、切り込みｄ２又は罫線ｄ１と切り込みｄ２との組み合わせであってもよい。
【００７９】
このようにしたことで、第９の実施の形態と同様の作用効果を奏する他に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えた際に、左右の各側面板１４、１２を解体機能部Ｄ１に沿って折り曲げようとする力が左右のフラップ１５３，１６３、１５４，１６４の解体機能部Ｄ２に直接伝達されて、各側面板１４、１２の各端縁部の角部による折り曲げに対する抵抗を弱めることができ、特に各側面板１４、１２の各端縁部の角部の折り畳みを容易にすることができる。
これにより、医療従事者による使用済みの箱Ｃ９の廃棄の作業効率を著しく高めることができる。
【００８０】
図２３に第１１の実施の形態を示している。
図２３に示すように、この包装用箱Ｃ１１は４側面板１１−１４、底蓋１５、天蓋１６の各内蓋１５５、１６５、各外蓋１５６、１６６がその解体機能部Ｄ１、Ｄ３、Ｄ４を含めて第９の実施の形態のものと共通である。ここでは、第９の実施の形態と共通の箇所には第９の実施の形態と同じ符号を付してその重複する説明を省略する。
【００８１】
この包装用箱Ｃ１１では、底蓋１５、天蓋１６をなす左右の各フラップ１５３，１５４、１６３，１６４の形状及びその解体機能部Ｄ２のみが第９の実施の形態のものと異なる。
この包装用箱Ｃ１１では、底蓋１５、天蓋１６の左右の各フラップ１５３，１５４、１６３，１６４は、箱Ｃ１１の底面開口、天面開口（の左右両端）を部分的に被覆可能に全体が略Ｍ字形に突出形成されて先端縁が比較的広角で大きな略Ｖ字形に形成される。そして、解体機能部Ｄ２、この場合、切り込みｄ２が少し短くなり、各フラップ１５３，１５４、１６３，１６４の各側面板１４、１２側の端部の中央に近接する位置から先端縁の中央（中間凹部）に向けてその中央縁部付近まで延びる。なお、ここで解体機能部Ｄ２は切り込みｄ２としたが、罫線ｄ１又は罫線ｄ１と切り込みｄ２との組み合わせであってもよい。
【００８２】
このようにしたことで、第９の実施の形態と同様の作用効果を奏する他に、正面板１３又は背面板１の加圧により、各フラップ１５３，１５４、１６３，１６４がさらに内蓋１５５、外蓋１５６の内側から外側に飛び出しやすくなり、各フラップ１５３，１５４、１６３，１６４をさらに簡単に扁平状に押し潰し又は折り畳むことができる。
これにより、医療従事者による使用済みの箱Ｃ１１の廃棄の作業効率を著しく高めることができる。
【００８３】
図２４に第１２の実施の形態を示している。
図２４に示すように、この包装用箱Ｃ１２は４側面板１１−１４、底蓋１５、天蓋１６の各内蓋１５５，１６５、各外蓋１５６，１６６がその解体機能部Ｄ１、Ｄ３、Ｄ４を含めて第９の実施の形態のものと共通である。ここでは、第９の実施の形態と共通の箇所には第９の実施の形態と同じ符号を付してその重複する説明を省略する。
【００８４】
この包装用箱Ｃ１２では、各フラップ１５３，１６３、１５４，１６４を連接される各側面板１４、１２の端縁部、つまり、各フラップ１５３，１６３、１５４，１６４とこれを連接される各側面板１４、１２との境界のみが第９の実施の形態のものと異なる。
この包装用箱Ｃ１２では、各フラップ１５３，１６３、１５４，１６４とこれを連接される各側面板１４、１２との境界に、各フラップ１５３，１６３、１５４，１６４側に凸の略山形に延びる罫線ｄ１又は切り込みｄ２又はこれらの組み合わせからなり、各フラップ１５３，１６３、１５４，１６４の折り曲げとともに各フラップ１５３，１６３、１５４，１６４を箱Ｃ１２外部に飛び出し案内可能な解体機能部Ｄ５を備える。
【００８５】
この場合、各側面板１４、１２（この場合、左右の各側面板１４、１２）の天面側の端縁部の解体機能部Ｄ５は、各フラップ１６３、１６４側に凸の略山形、言い換えれば、広角の逆Ｖ字形で、山形の両端が各フラップ１６３、１６４を連接される各側面板１４、１２に隣接する各側面板１１、１３（この場合、背面板１１、正面板１３）の端縁部に対して前記隣接する各側面板１１、１３（この場合、背面板１１、正面板１３）側となる内側に僅かに入り込む位置、つまり、背面板１１、正面板１３の天面側の端縁部よりも僅かに下の所定の位置を取り、山形の中央が前記隣接する各側面板１１、１３（この場合、背面板１１、正面板１３）の端縁部に対して外側に僅かに突き出す位置、つまり、背面板１１、正面板１３の天面側の端縁部よりも僅かに上の所定の位置を取る。同様に、各側面板１４、１２（この場合、左右の各側面板１４、１２）の底面側の端縁部の解体機能部Ｄ５は、各フラップ１５３、１５４側に凸の略山形、言い換えれば、広角のＶ字形で、山形の両端が各フラップ１５３、１５４を連接される各側面板１４、１２に隣接する各側面板１１、１３（この場合、背面板１１、正面板１３）の端縁部に対して前記隣接する各側面板１１、１３（この場合、背面板１１、正面板１３）側となる内側に僅かに入り込む位置、つまり、背面板１１、正面板１３の底面側の端縁部よりも僅かに上の所定の位置を取り、山形の中央が前記隣接する各側面板１１、１３（この場合、背面板１１、正面板１３）の端縁部に対して外側に僅かに突き出す位置、つまり、背面板１１、正面板１３の底面側の端縁部よりも僅かに下の所定の位置を取る。
【００８６】
このようにしたことで、第９の実施の形態と同様の作用効果を奏する他に、正面板１３又は背面板１１の加圧により、各フラップ１５３，１５４、１６３，１６４がさらに内蓋１５５，１６５、外蓋１５６，１６６の内側から外側に飛び出しやすくなり、各フラップ１５３，１５４、１６３，１６４をさらに簡単に扁平状に押し潰し又は折り畳むことができる。また、この場合、各フラップ１５３，１５４、１６３，１６４とこれを連接される各側面板１４、１２との境界の解体機能部Ｄ５は、山形の両端が各フラップ１５３，１５４、１６３，１６４を連接される左右の各側面板１４、１２に隣接する背面板１１、正面板１３の端縁部に対してこの隣接する背面板１１側、正面板１３側となる内側に僅かに入り込む所定の位置を取り、山形の中央が隣接する背面板１１側、正面板１３側の端縁部に対して外側に僅かに突き出す所定の位置を取るので、左右の各側面板１４、１２の端縁部が多少山形になっているものの、この箱Ｃ１２を底蓋１５又は天蓋１６を座面としてテーブルや作業台などの平面上に置く場合に安定して置くことができる（つまり、座りをよくすることができる）。
これにより、医療従事者による使用済みの箱Ｃ１２の廃棄の作業効率を著しく高めることができる。
【００８７】
図２５に第１３の実施の形態を示している。
図２５に示すように、この包装用箱Ｃ１３は４側面板１１−１４、底蓋１５、天蓋１６の各内蓋１５５、１６５、各外蓋１５６、１６６がその解体機能部Ｄ１、Ｄ３、Ｄ４を含めて第９の実施の形態のものと共通である。ここでは、第９の実施の形態と共通の箇所には第９の実施の形態と同じ符号を付してその重複する説明を省略する。
【００８８】
この包装用箱Ｃ１３では、各フラップ１５３，１６３、１５４，１６４の形状、及びこれを連接される各側面板１４、１２の端縁部、つまり、各フラップ１５３，１６３、１５４，１６４と各側面板１４、１２との境界のみが第９の実施の形態のものと異なる。
この包装用箱Ｃ１３では、各フラップ１５３，１６３、１５４，１６４は各側面板１４、１２に略台形に突出形成され、各フラップ１５３，１６３、１５４，１６４とこれを連接される各側面板１４、１２との境界に、各フラップ１５３，１６３、１５４，１６４側に凸の略山形に延びる罫線ｄ１又は切り込みｄ２又はこれらの組み合わせからなり、各フラップ１５３，１６３、１５４，１６４の折り曲げとともに各フラップ１５３，１６３、１５４，１６４を箱Ｃ１３外部に飛び出し案内可能な解体機能部Ｄ５を備える。
【００８９】
この場合、各フラップ１５３，１６３、１５４，１６４は通常の略台形状に形成され、その先端縁は平坦になっている（包装用箱Ｃ９のように先端縁中央に略Ｖ字形の溝１５７はない）。各側面板１４、１２（この場合、左右の各側面板１４、１２）の天面側の解体機能部Ｄ５は、各フラップ１６３、１６４側に凸の略山形、言い換えれば、広角の逆Ｖ字形で、山形の両端が各フラップ１６３、１６４を連接される各側面板１４、１２に隣接する各側面板１１、１３（この場合、背面板１１、正面板１３）の端縁部に対して前記隣接する各側面板１１、１３（この場合、背面板１１、正面板１３）側となる内側に僅かに入り込む位置、つまり、背面板１１、正面板１３の天面側の端縁部よりも僅かに下の所定の位置を取り、山形の中央が前記隣接する各側面板１１、１３（この場合、背面板１１、正面板１３）の端縁部に対して外側に僅かに突き出す位置、つまり、背面板１１、正面板１３の天面側の端縁部よりも僅かに上の所定の位置を取る。同様に、各側面板１４、１２（この場合、左右の各側面板１４、１２）の底面側の各フラップ１５３、１５４側の解体機能部Ｄ５は、各フラップ１５３、１５４側に凸の略山形、言い換えれば、広角のＶ字形で、山形の両端が各フラップ１５３、１５４を連接される各側面板１４、１２に隣接する各側面板１１、１３（この場合、背面板１１、正面板１３）の端縁部に対して前記隣接する各側面板１１、１３（この場合、背面板１１、正面板１３）側となる内側に僅かに入り込む位置、つまり、背面板１１、正面板１３の底面側の端縁部よりも僅かに上の所定の位置を取り、山形の中央が前記隣接する各側面板１１、１３（この場合、背面板１１、正面板１３）の端縁部に対して外側に僅かに突き出す位置、つまり、背面板１１、正面板１３の底面側の端縁部よりも僅かに下の所定の位置を取る。
【００９０】
このようにしても（つまり、各フラップ１５３，１６３、１５４，１６４が通常の略台形に形成されていても、各フラップ１５３，１６３、１５４，１６４と各側面板１４、１２との境界に解体機能部Ｄ５を備えたことで）、第９の実施の形態と同様の作用効果を奏する他に、正面板１３又は背面板１の加圧により、各フラップ１５３，１５４、１６３，１６４がさらに内蓋１５５，１６５、外蓋１５６，１６６の内側から外側に飛び出しやすくなり、各フラップ１５３，１５４、１６３，１６４をさらに簡単に扁平状に押し潰し又は折り畳むことができる。また、この場合、各フラップ１５３，１６３、１５４，１６４とこれを連接される各側面板１４、１２との境界の解体機能部Ｄ５は、山形の両端が各フラップ１５３，１６３、１５４，１６４を連接される左右の各側面板１４、１２に隣接する背面板１１、正面板１３の端縁部に対してこの隣接する背面板１１側、正面板１３側となる内側に僅かに入り込む所定の位置を取り、山形の中央が隣接する背面板１１側、正面板１３側の端縁部に対して外側に僅かに突き出す所定の位置を取るので、左右の各側面板１４、１２の端縁部が多少山形になっているものの、この箱Ｃ１３を底蓋１５、天蓋１６を座面としてテーブルや作業台などの平面上に置く場合に安定して置くことができる（つまり、座りをよくすることができる）。
これにより、医療従事者による使用済みの箱Ｃ１３の廃棄の作業効率を著しく高めることができる。
【００９１】
図２６に第１４の実施の形態を示している。
図２６に示すように、この包装用箱Ｃ１４は４側面板１１−１４、底蓋１５、天蓋１６の各内蓋１５５，１６５、各外蓋１５６，１６６がその解体機能部Ｄ３、Ｄ４を含めて第９の実施の形態のものと共通である。ここでは、第９の実施の形態と共通の箇所には第９の実施の形態と同じ符号を付してその重複する説明を省略する。
【００９２】
この包装用箱Ｃ１４では、各フラップ１５３，１６３、１５４，１６４を連接される各側面板１４、１２の端縁部、つまり、各フラップ１５３，１６３、１５４，１６４とこれを連接される各側面板１４、１２との境界のみが第９の実施の形態のものと異なる。
この包装用箱Ｃ１４では、第９の実施の形態のものと同様に、各フラップ１５３，１５４、１６３，１６４が、箱Ｃ１４の底面開口、天面開口（の左右両端）を部分的に被覆可能に全体が略台形に突出形成され、先端縁の幅方向中間、ここでは中央に略Ｖ字形の溝１５７が形成され、また、第９の実施の形態のものと異なり、各フラップ１５３，１６３、１５４，１６４とこれを連接される各側面板１４、１２との境界に、各フラップ１５３，１６３、１５４，１６４側に凸の略山形に延びる罫線ｄ１又は切り込みｄ２又はこれらの組み合わせからなり、各フラップ１５３，１６３、１５４，１６４の折り曲げとともに各フラップ１５３，１６３、１５４，１６４を箱Ｃ１４外部に飛び出し案内可能な解体機能部Ｄ５を備える。
【００９３】
この場合、各側面板１４、１２（この場合、左右の各側面板１４、１２）の天面側の端縁部の解体機能部Ｄ５は、各フラップ１６３、１６４側に凸の略山形、言い換えれば、広角の逆Ｖ字形で、山形の両端が各フラップ１６３、１６４を連接される各側面板１４、１２に隣接する各側面板１１、１３（この場合、背面板１１、正面板１３）の端縁部に対して前記隣接する各側面板１１、１３（この場合、背面板１１、正面板１３）側となる内側に僅かに入り込む位置、つまり、背面板１１、正面板１３の天面側の端縁部よりも僅かに下の所定の位置を取り、山形の中央が前記隣接する各側面板１１、１３（この場合、背面板１１、正面板１３）の端縁部に対して外側に僅かに突き出す位置、つまり、背面板１１、正面板１３の天面側の端縁部よりも僅かに上の所定の位置を取る。同様に、各側面板１４、１２（この場合、左右の各側面板１４、１２）の底面側の端縁部の解体機能部Ｄ５は、各フラップ１５３、１５４側に凸の略山形、言い換えれば、広角のＶ字形で、山形の両端が各フラップ１５３、１５４を連接される各側面板１４、１２に隣接する各側面板１１、１３（この場合、背面板１１、正面板１３）の端縁部に対して前記隣接する各側面板１１、１３（この場合、背面板１１、正面板１３）側となる内側に僅かに入り込む位置、つまり、背面板１１、正面板１３の底面側の端縁部よりも僅かに上の所定の位置を取り、山形の中央が前記隣接する各側面板１１、１３（この場合、背面板１１、正面板１３）の端縁部に対して外側に僅かに突き出す位置、つまり、背面板１１、正面板１３の底面側の端縁部よりも僅かに下の所定の位置を取る。
【００９４】
このようにしたことで、第９の実施の形態と同様の作用効果を奏する他に、正面板１３又は背面板１１の加圧により、各フラップ１５３，１６３、１５４，１６４がさらに内蓋１５５，１５６、外蓋１５６，１６６の内側から外側に飛び出しやすくなり、各フラップ１５３，１６３、１５４，１６４をさらに簡単に扁平状に押し潰し又は折り畳むことができる。また、この場合、各フラップ１５３，１６３、１５４，１６４とこれを連接される各側面板１４、１２との境界の解体機能部Ｄ５は、山形の両端が各フラップ１５３，１６３、１５４，１６４を連接される左右の各側面板１４、１２に隣接する背面板１１、正面板１３の端縁部に対してこの隣接する背面板１１側、正面板１３側となる内側に僅かに入り込む所定の位置を取り、山形の中央が隣接する背面板１１側、正面板１３側の端縁部に対して外側に僅かに突き出す所定の位置を取るので、左右の各側面板１４、１２の端縁部が多少山形になっているものの、この箱Ｃ１４を底蓋１５、天蓋１６を座面としてテーブルや作業台などの平面上に置く場合に安定して置くことができる（つまり、座りをよくすることができる）。
これにより、医療従事者による使用済みの箱Ｃ９の廃棄の作業効率を著しく高めることができる。
【００９５】
また、この包装用箱Ｃ１４では、２側面板１４、１２、及び各フラップ１５３，１６３、１５４，１６４の各解体機能部Ｄ１、Ｄ２が第９の実施の形態のものと異なる。
この包装用箱Ｃ１４では、各フラップ１５３，１６３、１５４，１６４を連接される各側面板１４、１２、この場合、左右の側面板１４、１２の解体機能部Ｄ１はそれぞれ、左右の各側面板１４、１２の端縁部を跨いで延び、各フラップ１５３，１６３、１５４，１６４の解体機能部Ｄ２に連続する。すなわち、各側面板１４、１２の解体機能部Ｄ１と各フラップ１５３，１６３、１５４，１６４の解体機能部Ｄ２は一本の連続した直線状を呈し、左右の各側面板１４、１２の端縁部に交差される。
【００９６】
この場合、左右の各側面板１４、１２の解体機能部Ｄ１は、各側面板１４、１２の幅方向略中央に各フラップ１５３，１６３、１５４，１６４及び各側面板１４、１２の連接方向に向けて直線的に延びる罫線ｄ１からなる。この場合、罫線ｄ１は押罫により折り溝が側面板１４、１２の外面側から内面側に向けて付けられて形成される。また、この場合、罫線ｄ１は各側面板１４、１２の天面側と底面側に分割して断続的に形成され、天面側で天面側の端縁部を跨いで延び、各フラップ１６３、１６４の解体機能部Ｄ２に連続する罫線ｄ１と、底面側で底面側の端縁部を跨いで延び、各フラップ１６３、１６４の解体機能部Ｄ２に連続する罫線ｄ１とからなる（これらの罫線ｄ１間に罫線はない）。なお、ここでは、罫線ｄ１としたが、切り込みｄ２又は罫線ｄ１と切り込みｄ２との組み合わせであってもよい。
【００９７】
底蓋１５をなす左右の各フラップ１５３、１５４の解体機能部Ｄ２は、各フラップ１５３、１５４の幅方向略中央に各フラップ１５３、１５４及び各側面板１４、１２の連接方向に向けて直線的に延びる罫線ｄ１からなり、この場合、各フラップ１５３、１５４の罫線ｄ１は左右の各側面板１４、１２の解体機能部Ｄ１の延長上に先端縁中央の略Ｖ字形の溝１５７に向けてその溝１５７付近まで延びる。なお、ここでは、罫線ｄ１としたが、切り込みｄ２又は罫線ｄ１と切り込みｄ２との組み合わせであってもよい。
【００９８】
天蓋１６をなす左右の各フラップ１６３、１６４の解体機能部Ｄ２は、各フラップ１６３、１６４の幅方向略中央に各フラップ１６３、１６４及び各側面板１４、１２の連接方向に向けて直線的に延びる罫線ｄ１からなる。この場合、各フラップ１６３、１６４の罫線ｄ１は左右の各側面板１４、１２の解体機能部Ｄ１の延長上に先端縁中央の略Ｖ字形の溝１５７に向けてその溝１５７付近まで延びる。なお、ここでは、罫線ｄ１としたが、切り込みｄ２又は罫線ｄ１と切り込みｄ２との組み合わせであってもよい。
【００９９】
このようにしたことで、第９の実施の形態と同様の作用効果を奏する他に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えた際に、左右の各側面板１４、１２を解体機能部Ｄ１に沿って折り曲げようとする力が左右のフラップ１５３，１６３、１５４，１６４の解体機能部Ｄ２に直接伝達されて、各側面板１４、１２の各端縁部の角部による折り曲げに対する抵抗を弱めることができ、特に各側面板１４、１２の各端縁部の角部の折り畳みを容易にすることができる。
これにより、医療従事者による使用済みの箱Ｃ１４の廃棄の作業効率を著しく高めることができる。
【０１００】
図２７に第１５の実施の形態を示している。
図２７に示すように、この包装用箱Ｃ１５は４側面板１１−１４、底蓋１５、天蓋１６の各内蓋１５５、１６５、各外蓋１５６、１６６がその解体機能部Ｄ１、Ｄ３、Ｄ４を含めて第９の実施の形態のものと共通である。ここでは、第９の実施の形態と共通の箇所には第９の実施の形態と同じ符号を付してその重複する説明を省略する。
【０１０１】
この包装用箱Ｃ１５では、２側面板１４、１２の解体機能部Ｄ１、及び各フラップ１５３，１６３、１５４，１６４を連接される各側面板１４、１２の端縁部、つまり、各フラップ１５３，１６３、１５４，１６４とこれを連接される各側面板１４、１２との境界のみが第９の実施の形態のものと異なる。
この包装用箱Ｃ１５では、各フラップ１５３，１６３、１５４，１６４を連接される各側面板１４、１２の解体機能部Ｄ１の中間に略Ｓ字形に切り込み１７が形成されて各側面板１４、１２の折り曲げとともに相互に起立して係合可能なロック爪１８を有する。
【０１０２】
この包装用箱Ｃ１５においては、左右の各側面板１４、１２の解体機能部Ｄ１が、第９の実施の形態と同様に、各側面板１４、１２の幅方向略中央に各フラップ１５３，１６３、１５４，１６４及び各側面板１４、１２の連接方向に向けて直線的に延びる罫線ｄ１からなる。この場合、罫線ｄ１は押罫により折り溝が側面板１４、１２の外面側から内面側に向けて付けられて形成される。また、この場合、罫線ｄ１は断続的に形成され、各側面板１４、１２の天面側で天面側の端縁部付近から底面側の端縁部に向けて延びる罫線ｄ１と、各側面板１４、１２の底面側で底面側の端縁部付近から天面側の端縁部に向けて延びる罫線ｄ１とからなる。なお、ここでは、罫線ｄ１としたが、切り込みｄ２又は罫線ｄ１と切り込みｄ２との組み合わせであってもよい。そして、この場合、これらの罫線ｄ１の間（中間）にさらに、これらの罫線ｄ１とは不連続で直線的にミシン目線１９が形成され、このミシン目線１９の中間に切り込み１７が略Ｓ字形に形成され、この略Ｓ字形の切り込み１７で囲まれた部分に２つのロック爪１８が設けられる。
【０１０３】
このようにしたことで、第９の実施の形態と同様の作用効果を奏する他に、図２８に示すように、正面板１３又は背面板１１を加圧した際に、左右の各側面板１２、１１が各解体機能部Ｄ１に沿って折り曲げられると同時に、２つのロック爪１８が立ち上がり、各ロック爪１８の相互に対向する縁部が噛み合い係合して、箱Ｃ１５の略扁平状に折り畳まれた状態を保持することができる。
【０１０４】
また、この包装用箱Ｃ１５では、各フラップ１５３，１６３、１５４，１６４が、第９の実施の形態のものと同様に、箱Ｃ１５の底面開口、天面開口（の左右両端）を部分的に被覆可能に全体が略台形に突出形成され、先端縁の幅方向中間、ここでは中央に略Ｖ字形の溝１５７が形成されていて、さらに、各フラップ１５３，１６３、１５４，１６４とこれを連接される各側面板１４、１２との境界に、各フラップ１５３，１６３、１５４，１６４側に凸の略山形に延びる罫線ｄ１又は切り込みｄ２又はこれらの組み合わせからなり、各フラップ１５３，１６３、１５４，１６４の折り曲げとともに各フラップ１５３，１６３、１５４，１６４を箱Ｃ１５外部に飛び出し案内可能な解体機能部Ｄ５を備える。
【０１０５】
この場合、各側面板１４、１２（この場合、左右の各側面板１４、１２）の天面側の解体機能部Ｄ５は、各フラップ１６３、１６４側に凸の略山形、言い換えれば、広角の逆Ｖ字形で、山形の両端が各フラップ１６３、１６４を連接される各側面板１４、１２に隣接する各側面板１３、１１（この場合、背面板１３、正面板１１）の端縁部に対して前記隣接する各側面板１３、１１（この場合、背面板１３、正面板１１）側となる内側に僅かに入り込む位置、つまり、背面板１３、正面板１１の天面側の端縁部よりも僅かに下の所定の位置を取り、山形の中央が前記隣接する各側面板１３、１１（この場合、背面板１３、正面板１１）の端縁部に対して外側に僅かに突き出す位置、つまり、背面板１３、正面板１１の天面側の端縁部よりも僅かに上の所定の位置を取る。同様に、各側面板１４、１２（この場合、左右の各側面板１４、１２）の底面側の解体機能部Ｄ５は、各フラップ１５３、１５４側に凸の略山形、言い換えれば、広角のＶ字形で、山形の両端が各フラップ１５３、１５４を連接される各側面板１４、１２に隣接する各側面板１３、１１（この場合、背面板１３、正面板１１）の端縁部に対して前記隣接する各側面板１３、１１（この場合、背面板１３、正面板１１）側となる内側に僅かに入り込む位置、つまり、背面板１３、正面板１３の底面側の端縁部よりも僅かに上の所定の位置を取り、山形の中央が前記隣接する各側面板１３、１１（この場合、背面板１３、正面板１１）の端縁部に対して外側に僅かに突き出す位置、つまり、背面板１３、正面板１１の底面側の端縁部よりも僅かに下の所定の位置を取る。
【０１０６】
このようにしたことで、第９の実施の形態と同様の作用効果を奏する他に、正面板１３又は背面板１１の加圧により、各フラップ１５３，１６３、１５４，１６４がさらに内蓋１５５，１６５、外蓋１５６，１６６の内側から外側に飛び出しやすくなり、各フラップ１５３，１６３、１５４，１６４をさらに簡単に扁平状に押し潰し又は折り畳むことができる。また、この場合、各フラップ１５３，１６３、１５４，１６４とこれを連接される各側面板１４、１２との境界の解体機能部Ｄ５は、山形の両端が各フラップ１５３，１６３、１５４，１６４を連接される左右の各側面板１４、１２に隣接する背面板１３、正面板１１の端縁部に対してこの隣接する背面板１３側、正面板１１側となる内側に僅かに入り込む所定の位置を取り、山形の中央が隣接する背面板１３側、正面板１１側の端縁部に対して外側に僅かに突き出す所定の位置を取るので、左右の各側面板１４、１２の端縁部が多少山形になっているものの、この箱Ｃ１５を底蓋１５、天蓋１６を座面としてテーブルや作業台などの平面上に置く場合に安定して置くことができる（つまり、座りをよくすることができる）。
これにより、医療従事者による使用済みの箱Ｃ１５の廃棄の作業効率を著しく高めることができる。
【０１０７】
なお、これらの箱Ｃ１０−Ｃ１５においても、底蓋１５、天蓋１６の両方又は一方に、図２に示すような先端に差し込み片付きの外蓋を有する場合に、この外蓋に上記と同様の解体機能部が設けられることで、上記と同様の作用効果を得ることができる。
【０１０８】
また、上記第９から第１５までの各実施の形態では、解体機能部Ｄ１を有する各側面板１４、１２に隣接する各側面板１１、１３に蓋１５６，１６６、１５５，１６５を連接され、一方の蓋１５６、１６６は奥行き方向中間部に、前記各側面板１４、１２の解体機能部Ｄ１に対応して直線的に延びる罫線ｄ１又は切り込みｄ２又はこれらの組み合わせからなり、一方の蓋１５６、１６６を折り曲げ案内な解体機能部Ｄ３を併せて備え、他方の蓋１５５、１６５は略Ｔ字形に形成されて、一方の蓋１５６、１６６の解体機能部Ｄ３の位置に対応する位置で蓋幅を小さくし、他方の蓋１５５、１６５を折り曲げ案内な解体機能部Ｄ４を併せて備えるものとしたが、ここでは特に図示していないが、解体機能部Ｄ１を有する各側面板１４、１２に隣接する各側面板１１、１３に台形や矩形などの通常の形状を有する蓋が連接され、これらの蓋の奥行き方向中間部で各側面板１４、１２の解体機能部Ｄ１に対応する位置に直線的に延びる罫線ｄ１又は切り込みｄ２又はこれらの組み合わせからなる解体機能部Ｄ３を併せて備えるものとしてもよい。この場合、各蓋の解体機能部Ｄ３は当該蓋の奥行き方向中間部の両端に分割して短く形成されるものとしてもよい。
このようにしても第９の実施の形態と同様の作用効果を奏することができる。
【０１０９】
さらに、上記第９から第１５までの各実施の形態では、左右の各側面板１４、１２に、解体機能部Ｄ１が直線的に設けられているが、この解体機能部Ｄ１は罫線ｄ１又は切り込みｄ２又はこれらの組み合わせが、第８の実施の形態（図１６）と同様に、各側面板１４、１２の各フラップ１５３，１６３、１５４，１６４側の各端部で、各側面板１４、１２の両角部に向けて略Ｖ字形に延びるようにしてもよい。この場合、この解体機能部Ｄ１は、全体として、各側面板１４、１２の各フラップ１５３，１６３、１５４，１６４側の各端部側で、略Ｙ字形をなす。
このようにすると、第８の実施の形態と同様に、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、左右の各側面板１４、１２を解体機能部Ｄ１の案内により外側に突出させて、箱Ｃ９−Ｃ１５を扁平状に圧潰し又は折り畳むことができ、また、左右の各側面板１４、１２を解体機能部Ｄ１の案内により内側に押し込みながら、正面板１３を背面板１１に向けて又はその反対に軽く打撃を加えたり正面板１３と背面板１１の左右両側縁部間を押し合わせたりするなど正面板１３を背面板１１に対して又はその反対に少し圧を加えることにより、箱Ｃ９−Ｃ１５を扁平状に圧潰し又は折り畳むこともできる。
【０１１０】
またさらに、上記第９から第１５までの各実施の形態では、箱Ｃ９−Ｃ１５の底蓋１５、天蓋１６の各部の形状や解体機能部が上下対称に形成されているが、この形状や解体機能部は、例えば底蓋１５の各部にのみ形成するなど、底蓋１５側又は天蓋１６側の少なくとも一方にのみ採用し、他方は例えば台形や矩形などの通常の形状の蓋やフラップにして、解体機能部はないものとしてもよい。このようにしても、箱Ｃ９−Ｃ１５は使用に際し底蓋１５又は天蓋１６の他方が開封されるようにすれば、開封後の当該他方は、正面板又は背面板に圧力を加えるだけで潰れやすくなっているので、上記と概ね同様の作用効果を得ることができる。
【符号の説明】
【０１１１】
Ｃ１−Ｃ１５  解体機能付き包装用箱
１１ 背面板
１１１  接続片
１２ 右側面板
１３ 正面板
１４ 左側面板
１５  底蓋
１５１  蓋
１５６  差し込み片
１５３  左のフラップ
１５４  右のフラップ
１５５  蓋（内蓋）
１５６  蓋（外蓋）
１５７  溝
１６  天蓋
１６１  蓋
１６２  差し込み片
１６３  左のフラップ
１６４  右のフラップ
１６５  蓋（内蓋）
１６６  蓋（外蓋）
１７  切り込み
１８  ロック爪
１９  ミシン目線
Ｄ１、Ｄ２、Ｄ３、Ｄ４、Ｄ５  解体機能部
ｄ１、ｄ１１、ｄ１２  罫線
ｄ２  切り込み
Ｐ１−Ｐ１５  紙基材
Ｐ１１ 背面板部
Ｐ１１１  接続片部
Ｐ１２  右側面板部
Ｐ１３  正面板部
Ｐ１４  左側面板部
Ｐ１５１  蓋部
Ｐ１５６  差し込み片部
Ｐ１５３  左のフラップ部
Ｐ１５４  右のフラップ部
Ｐ１５５  内蓋部
Ｐ１５６  外蓋部
Ｐ１６１  蓋部
Ｐ１６２  差し込み片部
Ｐ１６３  左のフラップ部
Ｐ１６４  右のフラップ部
Ｐ１６５  内蓋部
Ｐ１６６  外蓋部
Ｋ１  開封用の切り取り線
Ｋ２  一対の切り取り線
Ｋ２１  破断部
Ｋ３  係止爪
Ｋ４  切り込み部
Ｋ５  切り込み部
Ｋ５１  開封用のつまみ
Ｋ５２  爪
Ｋ６  切り込み部
Ｋ７  切り込み部
Ｋ８、Ｋ９  開封用の切り取り線
Ｌ１−Ｌ１４  罫線
２（２１、２２、２３、２４）  ミシン目
３  表示片
【図１】
2019006498.tif 000003
【図２】
2019006498.tif 000004
【図３】
2019006498.tif 000005
【図４】
2019006498.tif 000006
【図５】
2019006498.tif 000007
【図６】
2019006498.tif 000008
【図７】
2019006498.tif 000009
【図８】
2019006498.tif 000010
【図９】
2019006498.tif 000011
【図１０】
2019006498.tif 000012
【図１１】
2019006498.tif 000013
【図１２】
2019006498.tif 000014
【図１３】
2019006498.tif 000015
【図１４】
2019006498.tif 000016
【図１５】
2019006498.tif 000017
【図１６】
2019006498.tif 000018
【図１７】
2019006498.tif 000019
【図１８】
2019006498.tif 000020
【図１９】
2019006498.tif 000021
【図２０】
2019006498.tif 000022
【図２１】
2019006498.tif 000023
【図２２】
2019006498.tif 000024
【図２３】
2019006498.tif 000025
【図２４】
2019006498.tif 000026
【図２５】
2019006498.tif 000027
【図２６】
2019006498.tif 000028
【図２７】
2019006498.tif 000029
【図２８】
2019006498.tif 000030
【手続補正書】
【提出日】平成30年5月22日(2018.5.22)
【手続補正１】
【補正対象書類名】明細書
【補正対象項目名】０００６
【補正方法】変更
【補正の内容】
【０００６】
上記目的を達成するために、本発明の解体機能付き包装用箱（１）は、
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される前記各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁の幅方向中間に、箱の解体の際に前記解体機能部を有する前記各フラップを前記蓋の内側から外側へ抜けやすくするための略Ｖ字形の溝を形成されて、前記各フラップの解体機能部が前記略Ｖ字形の溝に向けて当該溝付近まで延び、
前記各フラップを連接される前記各側面板に隣接する一方の側面板から他方の側面板に向けて圧することにより、前記解体機能部を有する前記各フラップの前記略Ｖ字形の溝の案内により、前記解体機能部を有する前記各フラップが前記蓋の内側から外側へ抜けて、前記各フラップを連接される前記各側面板が前記解体機能部を有する前記各フラップとともに前記各解体機能部を突出端として外側に飛び出し、箱が扁平状に圧潰し又は折り畳まれる、
ことを要旨とする。
この包装用箱（１）はまた、次のような構成を備えることが好ましい。
（イ）各フラップを連接される各側面板の解体機能部は前記各フラップ側の端部が前記各側面板の端縁部に近接する位置まで延びる。
（ロ）各フラップを連接される各側面板の解体機能部は前記各側面板の端縁部を跨いで延び、前記各フラップの解体機能部に連続する。
（ハ）各フラップを連接される各側面板に隣接する両方又は一方の側面板に蓋が連接され、前記両方の蓋又は前記一方の蓋は奥行き方向中間部で前記各側面板の解体機能部に対応して直線的に延びる罫線又は切り込み又はこれらの組み合わせからなる解体機能部を併せて備える。
この場合、両方又は一方の蓋の解体機能部は当該蓋の奥行き方向中間部の両端に分割して短く形成されることが好ましい。
（ニ）各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える。
この場合、外蓋の解体機能部は当該外蓋の奥行き方向中間部の両端に分割して短く形成されることが好ましい。
（ホ）各フラップを連接される各側面板の解体機能部は、前記各側面板の前記各フラップ側の各端部で、前記各側面板の両角部に向けて略Ｖ字形に延びる。
（ヘ）各フラップを連接される各側面板の解体機能部の一部に略Ｓ字形に切り込みを形成されて前記各側面板の折り曲げとともに相互に起立して係合可能なロック爪を有する。
上記目的を達成するために、本発明の解体機能付き包装用箱（２）は、
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される前記各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁は箱の解体の際に前記解体機能部を有する前記各フラップを前記蓋の内側から外側へ抜けやすくするために略Ｖ字形に形成されて、前記各フラップの解体機能部は前記略Ｖ字形の先端縁の中間凹部に向けて当該中間凹部付近まで延び、
前記各フラップを連接される前記各側面板に隣接する一方の側面板から他方の側面板に向けて圧することにより、前記解体機能部を有する前記各フラップの前記略Ｖ字形の先端縁の案内により、前記解体機能部を有する前記各フラップが前記蓋の内側から外側へ抜けて、前記各フラップを連接される前記各側面板が前記解体機能部を有する前記各フラップとともに前記各解体機能部を突出端として外側に飛び出し、箱が扁平状に圧潰し又は折り畳まれる、
ことを要旨とする。
この包装用箱（２）はまた、次のような構成を備えることが好ましい。
（イ）各フラップを連接される各側面板の解体機能部は前記各フラップ側の端部が前記各側面板の端縁部に近接する位置まで延びる。
（ロ）各フラップを連接される各側面板の解体機能部は前記各側面板の端縁部を跨いで延び、前記各フラップの解体機能部に連続する。
（ハ）各フラップを連接される各側面板に隣接する両方又は一方の側面板に蓋が連接され、前記両方の蓋又は前記一方の蓋は奥行き方向中間部で前記各側面板の解体機能部に対応して直線的に延びる罫線又は切り込み又はこれらの組み合わせからなる解体機能部を併せて備える。
この場合、両方又は一方の蓋の解体機能部は当該蓋の奥行き方向中間部の両端に分割して短く形成されることが好ましい。
（ニ）各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える。
この場合、外蓋の解体機能部は当該外蓋の奥行き方向中間部の両端に分割して短く形成されることが好ましい。
（ホ）各フラップを連接される各側面板の解体機能部は、前記各側面板の前記各フラップ側の各端部で、前記各側面板の両角部に向けて略Ｖ字形に延びる。
（ヘ）各フラップを連接される各側面板の解体機能部の一部に略Ｓ字形に切り込みを形成されて前記各側面板の折り曲げとともに相互に起立して係合可能なロック爪を有する。
上記目的を達成するために、本発明の解体機能付き包装用箱（３）は、
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
前記各側面板と前記解体機能部を有する前記各フラップとの境界に、前記フラップ側に凸の略山形に延びる罫線又は切り込み又はこれらの組み合わせからなり、前記各フラップの折り曲げとともに前記各フラップを箱外部に飛び出し案内可能な解体機能部を、
それぞれ備え、
前記各フラップを連接される各側面板に隣接する一方の側面板から他方の側面板に向けて圧することにより、箱が扁平状に圧潰し又は折り畳まれる、
ことを要旨とする。
この包装用箱（３）はまた、次のような構成を備えることが好ましい。
（イ）各フラップとこれを連接される各側面板との境界の解体機能部は、山形の両端が前記各フラップを連接される前記各側面板に隣接する各側面板の端縁部に対して前記隣接する各側面板側となる内側に僅かに入り込む位置を取り、山形の中央が前記隣接する各側面板の端縁部に対して外側に僅かに突き出す位置を取る。
（ロ）各フラップを連接される各側面板の解体機能部は前記各フラップ側の端部が前記各側面板の端縁部に近接する位置まで延びる。
（ハ）各フラップを連接される各側面板の解体機能部は前記各側面板の端縁部を跨いで延び、前記各フラップの解体機能部に連続する。
（ニ）各フラップを連接される各側面板に隣接する両方又は一方の側面板に蓋が連接され、前記両方の蓋又は前記一方の蓋は奥行き方向中間部で前記各側面板の解体機能部に対応して直線的に延びる罫線又は切り込み又はこれらの組み合わせからなる解体機能部を併せて備える。
この場合、両方又は一方の蓋の解体機能部は当該蓋の奥行き方向中間部の両端に分割して短く形成されることが好ましい。
（ホ）各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える。
この場合、外蓋の解体機能部は当該外蓋の奥行き方向中間部の両端に分割して短く形成されることが好ましい。
（ヘ）各フラップを連接される各側面板の解体機能部は、前記各側面板の前記各フラップ側の各端部で、前記各側面板の両角部に向けて略Ｖ字形に延びる。
（ト）各フラップを連接される各側面板の解体機能部の一部に略Ｓ字形に切り込みを形成されて前記各側面板の折り曲げとともに相互に起立して係合可能なロック爪を有する。
【手続補正２】
【補正対象書類名】明細書
【補正対象項目名】０００７
【補正方法】変更
【補正の内容】
【０００７】
本発明の解体機能付き包装用箱（１）によれば、上記のとおり、各フラップを連接される各側面板の幅方向中間に、各フラップ及び各側面板の連接方向に向けて直線的に延びる罫線又は切り込み又はこれらの組み合わせからなり、各フラップを連接される各側面板を折り曲げ案内して箱全体を扁平状に折り畳み可能な解体機能部を、底蓋側又は天蓋側の少なくとも一方の各フラップの幅方向中間に、各側面板の解体機能部に対応して直線的に延びる罫線又は切り込み又はこれらの組み合わせからなり、各フラップを折り曲げ案内可能な解体機能部を、それぞれ備え、解体機能部を有する各フラップの先端縁の幅方向中間に、箱の解体の際に解体機能部を有する各フラップを蓋の内側から外側へ抜けやすくするための略Ｖ字形の溝を形成されて、各フラップの解体機能部が略Ｖ字形の溝に向けて当該溝付近まで延び、各フラップを連接される各側面板に隣接する一方の側面板から他方の側面板に向けて圧することにより、解体機能部を有する各フラップの略Ｖ字形の溝の案内により、解体機能部を有する各フラップが蓋の内側から外側へ抜けて、各フラップを連接される各側面板が解体機能部を有する各フラップとともに各解体機能部を突出端として外側に飛び出し、箱が扁平状に圧潰し又は折り畳まれるようにしたので、使用済みになった箱を簡単に押し潰して扁平にすることができ、もって、使用済みの箱の廃棄の作業効率を高めることができる、という本発明独自の格別な効果を奏する。
本発明の解体機能付き包装用箱（２）によれば、上記のとおり、各フラップを連接される各側面板の幅方向中間に、各フラップ及び各側面板の連接方向に向けて直線的に延びる罫線又は切り込み又はこれらの組み合わせからなり、各フラップを連接される各側面板を折り曲げ案内して箱全体を扁平状に折り畳み可能な解体機能部を、底蓋側又は天蓋側の少なくとも一方の各フラップの幅方向中間に、各側面板の解体機能部に対応して直線的に延びる罫線又は切り込み又はこれらの組み合わせからなり、各フラップを折り曲げ案内可能な解体機能部を、それぞれ備え、解体機能部を有する各フラップの先端縁は箱の解体の際に解体機能部を有する各フラップを蓋の内側から外側へ抜けやすくするために略Ｖ字形に形成されて、各フラップの解体機能部は略Ｖ字形の先端縁の中間凹部に向けて当該中間凹部付近まで延び、各フラップを連接される各側面板に隣接する一方の側面板から他方の側面板に向けて圧することにより、解体機能部を有する各フラップの略Ｖ字形の先端縁の案内により、解体機能部を有する各フラップが蓋の内側から外側へ抜けて、各フラップを連接される各側面板が解体機能部を有する各フラップとともに各解体機能部を突出端として外側に飛び出し、箱が扁平状に圧潰し又は折り畳まれるようにしたので、使用済みになった箱を簡単に押し潰して扁平にすることができ、もって、使用済みの箱の廃棄の作業効率を高めることができる、という本発明独自の格別な効果を奏する。
本発明の解体機能付き包装用箱（３）によれば、上記のとおり、各フラップを連接される各側面板の幅方向中間に、各フラップ及び各側面板の連接方向に向けて直線的に延びる罫線又は切り込み又はこれらの組み合わせからなり、各フラップを連接される各側面板を折り曲げ案内して箱全体を扁平状に折り畳み可能な解体機能部を、底蓋側又は天蓋側の少なくとも一方の各フラップの幅方向中間に、各側面板の解体機能部に対応して直線的に延びる罫線又は切り込み又はこれらの組み合わせからなり、各フラップを折り曲げ案内可能な解体機能部を、各側面板と解体機能部を有する各フラップとの境界に、フラップ側に凸の略山形に延びる罫線又は切り込み又はこれらの組み合わせからなり、各フラップの折り曲げとともに各フラップを箱外部に飛び出し案内可能な解体機能部を、それぞれ備え、各フラップを連接される各側面板に隣接する一方の側面板から他方の側面板に向けて圧することにより、箱が扁平状に圧潰し又は折り畳まれるようにしたので、使用済みになった箱を簡単に押し潰して扁平にすることができ、もって、使用済みの箱の廃棄の作業効率を高めることができる、という本発明独自の格別な効果を奏する。
【手続補正３】
【補正対象書類名】特許請求の範囲
【補正対象項目名】全文
【補正方法】変更
【補正の内容】
【特許請求の範囲】
【請求項１】
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される前記各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁の幅方向中間に、箱の解体の際に前記解体機能部を有する前記各フラップを前記蓋の内側から外側へ抜けやすくするための略Ｖ字形の溝を形成されて、前記各フラップの解体機能部が前記略Ｖ字形の溝に向けて当該溝付近まで延び、
前記各フラップを連接される前記各側面板に隣接する一方の側面板から他方の側面板に向けて圧することにより、前記解体機能部を有する前記各フラップの前記略Ｖ字形の溝の案内により、前記解体機能部を有する前記各フラップが前記蓋の内側から外側へ抜けて、前記各フラップを連接される前記各側面板が前記解体機能部を有する前記各フラップとともに前記各解体機能部を突出端として外側に飛び出し、箱が扁平状に圧潰し又は折り畳まれる、
ことを特徴とする解体機能付き包装用箱。
【請求項２】
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される前記各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
それぞれ備え、
前記解体機能部を有する前記各フラップの先端縁は箱の解体の際に前記解体機能部を有する前記各フラップを前記蓋の内側から外側へ抜けやすくするために略Ｖ字形に形成されて、前記各フラップの解体機能部は前記略Ｖ字形の先端縁の中間凹部に向けて当該中間凹部付近まで延び、
前記各フラップを連接される前記各側面板に隣接する一方の側面板から他方の側面板に向けて圧することにより、前記解体機能部を有する前記各フラップの前記略Ｖ字形の先端縁の案内により、前記解体機能部を有する前記各フラップが前記蓋の内側から外側へ抜けて、前記各フラップを連接される前記各側面板が前記解体機能部を有する前記各フラップとともに前記各解体機能部を突出端として外側に飛び出し、箱が扁平状に圧潰し又は折り畳まれる、
ことを特徴とする解体機能付き包装用箱。
【請求項３】
箱の正面、背面及び左右両側面をなす４側面板と、前記箱の底面をなす底蓋と、前記箱の天面をなす天蓋とにより構成され、前記底蓋、前記天蓋はそれぞれ、前記４側面板のうち相互に対向する２側面板の両端縁部に連接される一対のフラップ、及び前記２側面板に隣接する両方又は一方の側面板の両端縁部に連接される蓋を有し、前記箱の底面開口、天面開口がそれぞれ前記底蓋、前記天蓋により閉じられる包装用箱において、
前記各フラップを連接される各側面板の幅方向中間に、前記各フラップ及び前記各側面板の連接方向に向けて直線的に延びる罫線又は切り込み又はこれらの組み合わせからなり、前記各フラップを連接される前記各側面板を折り曲げ案内して箱全体を扁平状に折り畳み可能な解体機能部を、
前記底蓋側又は前記天蓋側の少なくとも一方の前記各フラップの幅方向中間に、前記各側面板の解体機能部に対応して直線的に延びる罫線又は切り込み又はこれらの組み合わせからなり、前記各フラップを折り曲げ案内可能な解体機能部を、
前記各側面板と前記解体機能部を有する前記各フラップとの境界に、前記フラップ側に凸の略山形に延びる罫線又は切り込み又はこれらの組み合わせからなり、前記各フラップの折り曲げとともに前記各フラップを箱外部に飛び出し案内可能な解体機能部を、
それぞれ備え、
前記各フラップを連接される各側面板に隣接する一方の側面板から他方の側面板に向けて圧することにより、箱が扁平状に圧潰し又は折り畳まれる、
ことを特徴とする解体機能付き包装用箱。
【請求項４】
各フラップを連接される各側面板の解体機能部は前記各側面板の端縁部を跨いで延び、前記各フラップの解体機能部に連続する請求項１乃至３のいずれかに記載の解体機能付き包装用箱。
【請求項５】
各フラップを連接される各側面板に隣接する両方の側面板に外蓋、内蓋が連接され、前記外蓋は奥行き方向中間部に、前記各側面板の解体機能部に対応して直線的に延びる罫線又は切り込み又はこれらの組み合わせからなり、前記外蓋を折り曲げ案内な解体機能部を併せて備え、前記内蓋は略Ｔ字形に形成されて、前記外蓋の解体機能部の位置に対応する位置で蓋幅を小さくし、前記内蓋を折り曲げ案内可能な解体機能部を併せて備える請求項１乃至４のいずれかに記載の解体機能付き包装用箱。
【請求項６】
各フラップを連接される各側面板の解体機能部は、前記各側面板の前記各フラップ側の各端部で、前記各側面板の両角部に向けて略Ｖ字形に延びる請求項１乃至５のいずれかに記載の解体機能付き包装用箱。
【請求項７】
各フラップを連接される各側面板の解体機能部の中間に略Ｓ字形に切り込みを形成されて前記各側面板の折り曲げとともに相互に起立して係合可能なロック爪を有する請求項１乃至６のいずれかに記載の解体機能付き包装用箱。